(57)【要約】【課題】コイル内の出力励磁を弱磁させ低トルクの動力で低速回転とし変速機で発電機を高速回転として発電し、エンジンまたはモータの燃料費、消費電力量を半減する。【解決手段】無吸着スロット発電コイルを平行か斜めに配設し出力励磁を弱磁させた発電とコイルを外側コイルと内側コイルに分離し出力励磁をコイル内表面から消滅させた発電。【選択図】図４
2018085872.tif 000002
【特許請求の範囲】
【請求項１】
（ア）本発明は、ステータヨークを円筒形としロータが挿入される内円周も円形としたスロットの無いドーナッツ型に切断した薄い電磁鋼板を積層された内円周に鉄スロットの代わりに無吸着スロットが配設されておるステータヨークとし、無吸着スロットは磁石に吸着しないステンレス、アルミニウム、アクリル板、塩ビ樹脂、ガラス繊維、ゴム、ビニールホース、スロットシートを無吸着スロットとし、無吸着スロットの薄い一枚の部材をステータヨーク長さより少し長い寸法で切断しＵの字型、コの字型、丸パイプ型、楕円形、に加工されておる無吸着スロットとし、無吸着スロットの通電する部材にはスロットシートを配設し、通電しない部材にはスロットシートを配設しないとした無吸着スロットをステータヨーク内円周に開口部をロータ側に向け固定された無吸着スロットに発電コイルを挿入し無吸着スロット発電コイルとし、ステータヨーク内円周に無吸着スロットの固定は溶接止め、ビス止め、樹脂系ゴム糊で固定し、更に発電コイルを挿入後にステータヨーク前後に作られた突起部と無吸着スロット発電コイルのコイルエンド部と糸、結束バンド、融着テープで固定された無吸着スロット発電コイルとし、コイル挿入後の無吸着スロットの開口部に銅線飛び出し防止のスロットシートを被せ、被せたスロットシートと無吸着スロット開口部をゴム糊、熱溶融接着材のビニール樹脂で接着された無吸着スロット発電コイルとし、無吸着スロット発電コイルをステータヨークに配設は、発電コイルを２極ロータ、４極ロータ、６極ロータ、６極ロータ型３極ロータとしたロータ極数と同数か所の多重巻き発電コイルとするかロータ極数の三相発電コイルを配設とするか２相の発電コイルを配設とするか１相の発電コイルを配設としたこと、配設された無吸着スロットと回転軸ロータ極との配設関係は、水平に据え置かれた回転軸ロータに対してステータヨーク内円周に平行に並べられた無吸着スロットとするか、ステータヨーク内円周に斜めに並べられた無吸着スロットとし、斜めとされた配設角度を１０度から４５度とするか可能な限り斜めとした角度に配設された無吸着スロット発電コイルとするか配設された無吸着スロット発電コイルを分離コイルとし、平行か斜めに配設された無吸着スロット発電コイルか分離コイルをロータ磁束がステータヨーク内円周を吸引しながら回転と共に発電コイルを横切り、又は、斜めに横切り起電力を出力としたこと、平行に配設された無吸着スロット発電コイルの利点は、製作が簡単であり出力励磁の発生する位置からロータを遠く離した位置として出力励磁とロータ磁束の引き合う磁力が弱められた平行無吸着スロット発電コイルとしたこと、斜め平行に配設された無吸着スロット発電コイルの利点は、斜め無吸着スロット発電コイル内に出現した斜め出力励磁と平行なロータ極との磁束が回転と共に、斜めと、平行の交差する小さい範囲で磁束が引き合い低トルクの回転で出力励磁とロータ磁束とを引き離す事が出来るとし、また細長い２枚の永久磁石が隙間をあけて平行に吸引している状態の永久磁石を引き離すのに１０の力が必要とした時に、細長い２枚の磁石の片方を４５度から５０度に傾けると５の力で引き離せるとしたことを利用した斜め発電コイルの配設としたこと、無吸着スロット発電コイルの出力配線は、発電コイルから個々に単相出力とするか、ロータの同極が同時に通過する発電コイル同士を直列配線しコイル巻き始め銅線を出力線としコイル巻き終わり銅線を中性点とした出力線と中性点から単相出力とするか、三相無吸着スロット発電コイル巻き終わり銅線の中性点三本をスター結線かデルタ結線とし巻き始め出力線から三相出力とした配線とし、また分離コイルは、無吸着スロット発電コイルを外側コイルと内側コイルとに分離し二系列とした分離コイルの利点は、発電コイルを外側コイルと内側コイルに分離したコイルに同時に交流起電力を同方向に出力させると無吸着スロット発電コイル内のステータヨークロータ側表面から出力励磁が消滅するとしたことを利用した分離コイルとし、消滅した出力励磁は、ステータヨーク内部で外側コイルと内側コイルの磁力線が吸引し合いステータヨーク内部深くに潜み込ませた出力励磁としたが、ロータの反発磁束がステータヨーク内部に潜み込んだ出力励磁に届いてしまい起電力を出力中にロータの回転が少し重くなるとした為にステータヨークの幅を広げるとするか、無吸着スロットをロータ方向に伸ばしコイル巻き数を増してロータの直径を小さくする為に扇型磁石の高さを短くするか、扇型磁石のコイル側の形状を弧円から直線状とした扇型磁石とするかとしたステータヨーク内側とロータ外側の出力励磁とロータ磁束の吸引し合う磁力の間隔調整がされたロータも有るとしたこと、分離コイルの出力励磁が消滅する発電コイルとロータ極の関係は、一か所の分離コイルで説明すると、ロータを右回転とし配設された外側コイルと内側コイルの無吸着スロット発電コイルを１番ロータ極が外側コイルと内側コイルの左側コイル銅線を１番ロータ極が通過してから外側コイルと内側コイルの右側コイル銅線上に１番ロータ極が到達するとするか、左側銅線の外側コイルを１番ロータ極が通過し左側銅線の内側コイルを１番ロータ極が通過中に右側銅線の内側コイルと外側コイル上に１番ロータ極が到達するとした時間差発電としたこと、使用されたネオジム永久磁石ロータは中央穴あき扇型磁石ロータとし反発磁束を発電コイル側に向けて押し上げる様にしたロータとし、各発電コイルの渡り配線を個々に結線とするかコイルの巻き始めから他の連結するコイル巻終わりまで連続した結線部の無いコイルの直列配線とし、またステータヨーク外に銅線を引き出す引き出し銅線は、発電コイルから少し出た位置でコイル銅線と少し太い漏電防止された引き出し銅線を結線し、結線部を収縮チューブ、ビニールテープ、融着テープ、ガラス繊維で漏電防止された引き出し銅線を発電機の脇または後側蓋に配設した操作盤の単相か三相漏電防止機の入力端子に配線し出力端子から直流に整流するか交流のまま電圧計、各出力端子または降圧し１００V差し込みへと配線されておる発電機とし、発電機をケース無しとするかケース有り発電機とした無吸着スロット発電コイル発電機としたこと
【請求項２】
（イ）請求項１に記載した各ロータとステータヨークの無吸着スロット発電コイルの配設を記載とし、２極ロータと多重巻き発電コイルの配設は、２極ロータをＮ極とＳ極とするか、Ｎ極とＮ極のロータかＳ極とＳ極のロータとし、無吸着スロットを回転軸に対して平行に配設された無吸着スロットとするか、斜めに配設された無吸着スロットとした無吸着スロットに発電コイルを３重巻き、４重巻き、５重巻き、６重巻きとした多重巻き発電コイルとし、ロータ２極が同時に通過する位置に配設された多重巻き発電コイルとし、配設位置が同じとして１番から２４番の無吸着スロットに４重左巻き発電コイルの配設を記載とし、Ｕ１番発電コイル巻き始め左側銅線を出力線とし２番と３番と４番と５番から８番と９番と１０番と１１番の無吸着スロットに左巻き発電コイルを配設し巻き終わり右側銅線を中性点とし、Ｕ２番発電コイル巻き始め左側銅線出力線とし１４番と１５番と１６番と１７番から２０番と２１番と２２番と２３番の無吸着スロットに左巻き発電コイルを配設し巻き終わり右側銅線を中性点とし、また使用していない番号部は無吸着スロットを配設しないとし、無吸着スロット発電コイルの配線は、ロータ極をＮ極とＳ極とされたロータと無吸着スロット発電コイルの配線は、個々に４重巻き発電コイルのＵ１とＵ２の発電コイルから２か所の単相出力とするか、Ｕ１番発電コイルの中性点とＵ２番発電コイルの中性点を結線し並列配線としＵ１番とＵ２番の各出力線から単相出力とし、ロータ極をＮ極とＮ極、またはＳ極とＳ極とされたロータと無吸着スロット発電コイルの配線は、個々に４重巻き発電コイルから２か所の単相出力とするかＵ１番発電コイルの中性点とＵ２番発電コイルの出力線を結線し直列配線としＵ１番出力線とＵ２中性点から単相出力を一か所としたこと、無吸着スロット発電コイルから少し出た位置の銅線に漏電防止された少し太い引き出し銅線を付け、引き出し銅線をステータヨーク外に作られた操作盤に配線し単相漏電防止スイッチから電流計から１００Ｖ差し込みへと配線された発電機としたこと
（ウ）２極ロータと２相無吸着スロット発電コイルが配設された無吸着スロットを回転軸に対して平行に配設された無吸着スロットとするか、斜めに配設された無吸着スロットとし、右回り通し番号の１番から３２番の無吸着スロットに２重巻き発電コイルの配設は、Ｕ１番コイルの左側巻き始め銅線を出力線とし１番と２番から７番と８番の無吸着スロットに左巻きコイルを配設し巻き終わり右側銅線を中性点、Ｕ２番コイル左側巻き始め銅線を出力線とし９番と１０番から１５番と１６番の無吸着スロットに左巻きコイルを配設し巻き終わり右側銅線を中性点、Ｕ３番コイル巻き始め銅線を出力線とし１７番と１８番から２３番と２４番の無吸着スロットに左巻き発電コイルを配設し右側巻き終わり銅線を中性点、Ｕ４番コイル巻き始め銅線を出力線とし２５番と２６番から３１番と３２番の無吸着スロットに左巻き発電コイルを配設し右側巻き終わり銅線を中性点、Ｖ１番コイル左側巻き始め銅線を出力線とし５番と６番から１１番と１２番の無吸着スロットに左巻きコイルを配設し右側巻き終わり銅線を中性点、Ｖ２番コイル左側巻き始め銅線を出力線とし１３番と１４番から１９番と２０番の無吸着スロットに左巻きコイルを配設し右側巻き終わり銅線を中性点、Ｖ３番コイル左側巻き始め銅線を出力線とし２１番と２２番から２７番と２８番の無吸着スロットに左巻きコイルを配設し巻き終わり右側銅線を中性点、Ｖ４番コイル左側巻き始め銅線を出力線とし２９番と３０番から３番と４番の無吸着スロットに左巻きコイルを配設し右側巻き終わり銅線を中性点としたこと、この配線にロータ極をＮ極とＳ極とされた発電コイル配線は、個々に２重巻き発電コイルの出力線と中性点から単相出力とするか、Ｕ発電コイルとV発電コイルの同時に通過するＵ１コイルとＵ３コイル、Ｕ２コイルとＵ４コイル、V１コイルとV３コイル、V２コイルとV４コイルの各中性点同士を結線し並列配線とし各出力線から単相出力を４か所の出力線とし、ロータ極をＮ極とＮ極、またはＳ極とＳ極とされた発電コイル配線は、個々に２重巻き発電コイルから単相出力とするか、同時に通過するコイルの中性点と出力線を直列配線し各出力線と中性点から４か所の単相出力とするか、直列配線されたＵコイルの１番、３番と２番、４番、Vコイルの１番と３番、２番と４番の各中性点を結線し並列配線とし発電電圧を上昇させたＵコイルとＶコイル２か所の単相出力とし、また２か所の単相出力とされたＵコイルとVコイルの同方向に出された出力線を結線し１か所の単相出力としたこと、各出力線は無吸着スロット発電コイルの銅線に漏電防止された引き出し銅線を付け、引き出し銅線をステータヨーク外に作られた操作盤に配設された単相漏電防止スイッチ入力端子まで配線し出力端子から電流計、１００Ｖ差し込みへと配線された発電機とし、またこの配線は４極ロータの２相無吸着スロット発電コイル発電機にも使用できるとしたこと
（エ）４極ロータと三相２重巻き発電コイルを配設する無吸着スロットを回転軸に対して平行に配設された無吸着スロットとするか、ステータヨーク前側から斜め右上りに配設された無吸着スロットとし、右回り通し番号の１番から２４番の無吸着スロットの１重巻き発電コイルと１番から４８番の無吸着スロットに２重巻き発電コイルが有りコイル配設が同じとして２重巻き発電コイル直列配線の配設は、Ｕ１番コイル巻き始め左側銅線を出力線とし１番と２番から１１番と１２番の無吸着スロットに左巻き発電コイルを配設し巻き終わり右側銅線をＵ３番コイル巻き始め左側銅線と結線し２５番と２６番から３５番と３６番の無吸着スロットに左巻きコイルを配設し巻き終わり右側銅線をＵ１中性点とし、Ｕ２番コイル巻き始め左側銅線を出力線とし１３番と１４番から２３番と２４番の無吸着スロットに左巻き発電コイルを配設し巻き終わり右側銅線をＵ４番コイル巻き始め左側銅線と結線し３７番と３８番から４７番と４８番の無吸着スロットに左巻きコイルを配設し巻き終わり右側銅線をＵ２中性点とし、Ｖ１番コイル巻き始め左側銅線を出力線とし９番と１０番から１９番と２０番の無吸着スロットに左巻き発電コイルを配設し巻き終わり右側銅線をＶ３番コイル巻き始め左側銅線と結線し３３番と３４番から４３番と４４番の無吸着スロットに左巻きコイルを配設し巻き終わり右側銅線をＶ１中性点とし、Ｖ２番コイル巻き始め左側銅線を出力線とし２１番と２２番から３１番と３２番の無吸着スロットに左巻き発電コイルを配設し巻き終わり右側銅線をＶ４番コイル巻き始め左側銅線と結線し４５番と４６番から７番と８番の無吸着スロットに左巻きコイルを配設し巻き終わり右側銅線をＶ２中性点とし、Ｗ１番コイル巻き始め左側銅線を出力線とし１７番と１８番から２７番と２８番の無吸着スロットに左巻き発電コイルを配設し巻き終わり右側銅線をＷ３番コイル巻き始め左側銅線と結線し４１番と４２番から３番と４番の無吸着スロットに左巻きコイルを配設し巻き終わり右側銅線をＷ１中性点とし、Ｗ２番コイル巻き始め左側銅線を出力線とし２９番と３０番から３９番と４０番の無吸着スロットに左巻き発電コイルを配設し巻き終わり右側銅線をＷ４番コイル巻き始め左側銅線と結線し５番と６番から１５番と１６番の無吸着スロットに左巻きコイルを配設し巻き終わり右側銅線をＷ２中性点としたこと、ＵＶＷ各線の出力配線は、各直列配線されたておる出力線と巻き終わり中性点から６か所の単相出力とするか、ＵＶＷ各相の１番と２番の直列配線された中性点を結線し並列配線とし各左側巻き始め出力銅線から３か所の単相出力とするか、３か所の単相出力とされておる同方向のコイル出力銅線を中性点とし３本を束に結線し、反対側の同方向の出力線から出力するとしたスター結線、またはデルタ結線とし、出力線は無吸着スロット発電コイルから少し出した所で引き出し銅線と結線し、引き出し銅線はステータヨーク外に引き出す銅線として漏電防止された少し太い引き出し銅線とし、引き出し銅線をステータヨーク外に作られた操作盤に配設された三相漏電防止スイッチ入力端子まで配線し出力端子から電流計、１００Ｖ差し込み、三相２００V端子へと配線された発電機としたこと
（オ）４極ロータと三相３重巻き発電コイルを配設する無吸着スロットを回転軸に対して平行に配設された無吸着スロットとするか、斜めに配設された無吸着スロットを右回り通し番号の１番から３６番の無吸着スロットに３重巻き無吸着スロット発電コイルの三相直列配線は、Ｕ１番コイル巻き始め左側銅線を出力線とし１番と２番と３番から１０番と１１番と１２番の無吸着スロットに左巻きコイルを配設し巻き終わり右側銅線をＵ２コイル巻き始め左側銅線と結線し１９番と２０番と２１番から２８番、２９番、３０番の無吸着スロットに左巻き発電コイルを配設し巻き終わり右側銅線をＵ１中性点とし、Ｖ１コイル巻き始め左側銅線を出力線とし７番と８番と９番から１６番と１７番と１８番の無吸着スロットに左巻きコイルを配設し巻き終わり右側銅線をＶ２コイル巻き始め左側銅線と結線し２５番と２６番と２７番から３４番と３５番と３６番の無吸着スロットに左巻き発電コイルを配設し巻き終わり右側銅線をＶ１中性点とし、Ｗ１コイル巻き始め銅線を出力線とし１３番と１４番と１５番から２２番と２３番と２４番の無吸着スロットに左巻きコイルを配設し巻き終わり右側銅線をＷ２コイル巻き始め銅線と結線し３１番と３２番と３３番から４番と５番と６番の無吸着スロットに左巻き発電コイルを配設し巻き終わり右側銅線をＷ１中性点としたこと、ＵＶＷの各コイルを左巻き直列配線とした出力は、出力線巻き始め銅線と巻き終わり中性点の銅線から単相出力とするか、ＵＶＷ線の右側巻き終わり中性点を３本束にしてスター結線とするかデルタ結線とし各出力線から出力とし、ステー結線またはデルタ結線とした出力線は無吸着スロット発電コイルからコイル外に引き出す銅線に漏電防止された少し太い引き出し銅線とし、ステータヨーク後側から引き出し銅線をステータヨーク外に作られた操作盤に配設した三相漏電防止スイッチ入力端子まで配線し出力端子から電流計、１００Ｖ差し込み、三相２００V差し込みへと配線された発電機としたこと
（カ）４極ロータと三相４重巻き発電コイルを配設する無吸着スロットを回転軸に対して平行に配設された無吸着スロットとするか、斜めに配設された無吸着スロットを右回り通し番号の１番から４８番の無吸着スロットに４重巻き発電コイルの配線は、Ｕ１番コイル巻き始め左側銅線を出力線とし１番と２番と３番と４番から１３番と１４番と１５番と１６番の無吸着スロットに左巻きコイルを配設し巻き終わり右側銅線をＵ２コイル巻き始め左側銅線と結線し２５番と２６番と２７番と２８番から３７番と３８番と３９番と４０番の無吸着スロットに左巻き発電コイルを配設し巻き終わり右側銅線をＵ１中性点とし、Ｖ１番コイル巻き始め左側銅線を出力線とし９番と１０番と１１番と１２番から２１番と２２番と２３番と２４番の無吸着スロットに左巻きコイルを配設し巻き終わり右側銅線をＶ２コイル巻き始め左側銅線と結線し３３番と３４番と３５番と３６番から４５番と４６番と４７番と４８番の無吸着スロットに左巻き発電コイルを配設し巻き終わり右側銅線をＶ１中性点とし、Ｗ１番コイル巻き始め左側銅線を出力線とし１７番と１８番と１９番と２０番から２９番と３０番と３１番と３２番の無吸着スロットに左巻きコイルを配設し巻き終わり右側銅線をＷ２コイル巻き始め左側銅線と結線し４１番と４２番と４３番と４４番から５番と６番と７番と８番の無吸着スロットに左巻き発電コイルを配設し巻き終わり右側銅線をＷ１中性点としたこと、ＵＶＷ線の直列配線された出力は、巻き始め銅線と巻き終わり銅線から３か所の単相出力とするか、各巻き始め左側銅線を出力線とし右側巻き終わり銅線を中性点としたスター結線かデルタ結線とした三相出力線とし、出力線は無吸着スロット発電コイルからコイル外に引き出す銅線に漏電防止された少し太い引き出し銅線とし、発電コイルから少し出た位置でコイル銅線と引き出し銅線を圧着端子、半田で結線し、結線部をビニールテープ、ガラス繊維で漏電防止された引き出し銅線をステータヨーク外に作られた操作盤に配設した三相漏電防止スイッチ入力端子まで配線し出力端子から電流計から１００Ｖ差し込み、三相２００V差し込みへと配線された発電機としたこと
（キ）６極ロータと三相２重巻き発電コイルを配設する無吸着スロットを回転軸に対して平行に配設された無吸着スロットとするか、斜めに配設された無吸着スロットを右回り通し番号の１番から１８番の無吸着スロットに一重巻き発電コイルと１番から３６番の無吸着スロットに２重巻き発電コイルが有りコイル配設位置は同じとして１番から３６番の無吸着スロットに二重巻き発電コイルの配設は、Ｕ１番コイル巻き始め左側銅線を出力線とし１番、２番から７番、８番の無吸着スロットに左巻きコイルを配設し巻き終わり右側銅線をＵ２コイル巻き始め左側銅線と結線し１３番、１４番から１９番、２０番の無吸着スロットに左巻き発電コイルを配設し巻き終わり右側銅線をＵ３コイル巻き始め銅線と結線し２５番、２６番から３１番、３２番の無吸着スロットに左巻きコイルを配設し巻き終わり右側銅線をＵ１中性点とし、Ｖ１番コイル巻き始め左側銅線を出力線とし５番、６番から１１番、１２番の無吸着スロットに左巻きコイルを配設し巻き終わり右側銅線をＶ２コイル巻き始め左側銅線と結線し１７番、１８番から２３番と２４番の無吸着スロットに左巻き発電コイルを配設し巻き終わり右側銅線をV３コイル巻き始め銅線と結線し２９番、３０番から３５番、３６番の無吸着スロットに左巻きコイルを配設し巻き終わり右側銅線をＶ１中性点とし、Ｗ１番コイル巻き始め左側銅線を出力線とし９番、１０番から１５番、１６番の無吸着スロットに左巻きコイルを配設し巻き終わり右側銅線をＷ２コイル巻き始め左側銅線と結線し２１番、２２番から２７番と２８番の無吸着スロットに左巻き発電コイルを配設し巻き終わり右側銅線をＷ３コイル巻き始め銅線と結線し３３番、３４番から３番、４番の無吸着スロットに左巻きコイルを配設し巻き終わり右側銅線をＷ１中性点とし、ＵＶＷ線の直列配線された出力は、巻き始め銅線と巻き終わり銅線から３か所の単相出力とするか、各巻き始め左側銅線を出力線とし右側巻き終わり銅線を中性点としたスター結線とするかデルタ結線とした三相出力線とし、出力線は無吸着スロット発電コイルからコイル外に引き出す銅線に漏電防止された少し太い引き出し銅線とし、ステータヨークの前側とするか後側の発電コイルから少し出た位置でコイル銅線と引き出し銅線を圧着端子、半田で結線し、結線部をビニールテープ、ガラス繊維で漏電防止された引き出し銅線をステータヨーク外に作られた操作盤に配設された三相漏電防止スイッチ入力端子まで配線し三相出力端子から電流計、三相２００Vの端子または差し込み、ダウントランスから１００Vの差し込みへと配線された発電機としたこと
（ク）６極ロータと三相２重巻き発電コイルを配設する無吸着スロットを回転軸に対して平行に配設された無吸着スロットとするか、斜めに配設された無吸着スロットを右回り通し番号の１番から７２番の無吸着スロットに２重巻き発電コイルの配設は、Ｕ１番コイル巻き始め左側銅線を出力線とし１番、２番から１１番、１２番の無吸着スロットに左巻きコイルを配設し巻き終わり右側銅線をＵ３コイル巻き始め左側銅線と結線し２５番、２６番から３５番、３６番の無吸着スロットに左巻き発電コイルを配設し巻き終わり右側銅線をＵ５コイル巻き始め銅線と結線し４９番、５０番から５９番、６０番の無吸着スロットに左巻きコイルを配設し巻き終わり右側銅線をＵ１中性点とし、Ｕ２番コイル巻き始め左側銅線を出力線とし１３番、１４番から２３番、２４番の無吸着スロットに左巻きコイルを配設し巻き終わり右側銅線をＵ４コイル巻き始め左側銅線と結線し３７番、３８番から４７番、４８番の無吸着スロットに左巻き発電コイルを配設し巻き終わり右側銅線をＵ６コイル巻き始め銅線と結線し６１番、６２番から７１番、７２番の無吸着スロットに左巻きコイルを配設し巻き終わり右側銅線をＵ２中性点とし、Ｖ１番コイル巻き始め左側銅線を出力線とし９番、１０番から１９番、２０番の無吸着スロットに左巻きコイルを配設し巻き終わり右側銅線をＶ３コイル巻き始め左側銅線と結線し３３番、３４番から４３番と４４番の無吸着スロットに左巻き発電コイルを配設し巻き終わり右側銅線をV５コイル巻き始め銅線と結線し５７番、５８番から６７番、６８番の無吸着スロットに左巻きコイルを配設し巻き終わり右側銅線をＶ１中性点とし、Ｖ２番コイル巻き始め左側銅線を出力線とし２１番、２２番から３１番、３２番の無吸着スロットに左巻きコイルを配設し巻き終わり右側銅線をＶ４コイル巻き始め左側銅線と結線し４５番、４６番から５５番、５６番の無吸着スロットに左巻き発電コイルを配設し巻き終わり右側銅線をV６コイル巻き始め銅線と結線し６９番、７０番から７番、８番の無吸着スロットに左巻きコイルを配設し巻き終わり右側銅線をＶ２中性点とし、Ｗ１番コイル巻き始め左側銅線を出力線とし１７番、１８番から２７番、２８番の無吸着スロットに左巻きコイルを配設し巻き終わり右側銅線をＷ３コイル巻き始め左側銅線と結線し４１番、４２番から５１番と５２番の無吸着スロットに左巻き発電コイルを配設し巻き終わり右側銅線をＷ５コイル巻き始め銅線と結線し６５番、６６番から３番、４番の無吸着スロットに左巻きコイルを配設し巻き終わり右側銅線をＷ１中性点とし、Ｗ２番コイル巻き始め左側銅線を出力線とし２９番、３０番から３９番、４０番の無吸着スロットに左巻きコイルを配設し巻き終わり右側銅線をＷ４コイル巻き始め左側銅線と結線し５３番、５４番から６３番、６４番の無吸着スロットに左巻き発電コイルを配設し巻き終わり右側銅線をＷ６コイル巻き始め銅線と結線し５番、６番から１５番、１６番の無吸着スロットに左巻きコイルを配設し巻き終わり右側銅線をＷ２中性点としたこと、ＵＶＷ線の奇数番号コイルと偶数番号コイルの直列配線された出力は、巻き始め銅線と巻き終わり銅線から６か所の単相出力とするか、各巻き始め左側銅線を出力線とし���側巻き終わり銅線を中性点としたスター結線かデルタ結線とした２か所の三相出力線とし、出力線は無吸着スロット発電コイルからコイル外に引き出す銅線に漏電防止された少し太い引き出し銅線とし、発電コイルから少し出た位置でコイル銅線と引き出し銅線を圧着端子、半田で結線し、結線部を収縮チューブ、ビニールテープ、ガラス繊維で漏電防止された引き出し銅線をステータヨーク外に作られた操作盤に配設された２００Ｖ三相漏電防止スイッチ入力端子まで配線し三相出力端子から三相２００Ｖ差し込みとダウントランスに配線されダウントランスから１００Ｖ差し込みへと配線された発電機としたこと
（ケ）６極ロータと三相４重巻き発電コイルを配設する無吸着スロットを回転軸に対して平行に配設された無吸着スロットとするか、斜めに配設された無吸着スロットを右回り通し番号の１番から７２番の無吸着スロットに４重巻き発電コイルの配線は、Ｕ１番コイル巻き始め左側銅線を出力線とし１番、２番、３番、４番、から１３番、１４番、１５番、１６番の無吸着スロットに左巻きコイルを配設し巻き終わり右側銅線をＵ２コイル巻き始め左側銅線と結線し２５番、２６番、２７番、２８番から３７番、３８番、３９番、４０番の無吸着スロットに左巻き発電コイルを配設し巻き終わり右側銅線をＵ３コイル巻き始め銅線と結線し４９番、５０番、５１番、５２番から６１番、６２番、６３番、６４番の無吸着スロットに左巻きコイルを配設し巻き終わり右側銅線をＵ１中性点とし、Ｖ１番コイル巻き始め左側銅線を出力線とし９番、１０番、１１番、１２番から２１番、２２番、２３番、２４番の無吸着スロットに左巻きコイルを配設し巻き終わり右側銅線をＶ２コイル巻き始め左側銅線と結線し３３番、３４番、３５番、３６番から４５番、４６番、４７番、４８番の無吸着スロットに左巻き発電コイルを配設し巻き終わり右側銅線をV３コイル巻き始め銅線と結線し５７番、５８番、５９番、６０番から６９番、７０番、７１番、７２番の無吸着スロットに左巻きコイルを配設し巻き終わり右側銅線をＶ１中性点とし、Ｗ１番コイル巻き始め左側銅線を出力線とし１７番、１８番、１９番、２０番から２９番、３０番、３１番、３２番の無吸着スロットに左巻きコイルを配設し巻き終わり右側銅線をＷ２コイル巻き始め左側銅線と結線し４１番、４２番、４３番、４４番から５３番と５４番、５５番、５６番の無吸着スロットに左巻き発電コイルを配設し巻き終わり右側銅線をＷ３コイル巻き始め銅線と結線し６５番、６６番、６７番、６８番から５番、６番、７番、８番の無吸着スロットに左巻きコイルを配設し巻き終わり右側銅線をＷ１中性点としたこと、ＵＶＷ線の直列配線された出力は、巻き始め銅線と巻き終わり銅線から３か所の単相出力とするか、各巻き始め左側銅線を出力線とし右側巻き終わり銅線を中性点としたスター結線かデルタ結線とした三相出力線とし、出力線は無吸着スロット発電コイルからコイル外に引き出す銅線に漏電防止された少し太い引き出し銅線とし、発電コイルから少し出た位置でコイル銅線と引き出し銅線を圧着端子か半田で結線し、結線部を収縮チューブ、ビニールテープ、ガラス繊維で漏電防止された引き出し銅線をステータヨーク外に作られた操作盤に配設された三相２００Ｖ漏電防止スイッチ入力端子まで配線し三相出力端子から電流計、三相２００Ｖ差し込み、２００Ｖから１００Ｖにダウントランスで降圧し１００V差し込みへと配線された発電機としたこと、また記載した各無吸着スロット発電コイルを記載のまま使用するか又は２重巻き、３重巻き、４重巻きとされた発電コイルを分離コイルとし中央から出力励磁を消滅させた配線とし、分離は配設された多重巻き無吸着スロット発電コイルを外側コイルと内側コイルに分離し、外側コイル数を多くするか、内側コイル数を多くするかとした分離コイルとし同数に近い数の外側コイルと内側コイルに分離すると���た無吸着スロット発電コイル発電機。
【発明の詳細な説明】
【技術分野】
【０００１】
本発明は、発電機に関するものである。
【背景技術】
【０００２】
ステータヨークスロットにロータ極数と同数か所の多重巻き発電コイルかロータ極数の三相分布巻き発電コイルを配設した発電機。
【先行技術文献】
【特許文献】
【０００３】
【特許文献１】特許第４９５１０９９号
【発明の概要】
【発明が解決しようとする課題】
【０００４】
解決しようとする問題点は、発電コイルから負荷側に起電力を出力した時にコイル内に発生する出力励磁を弱磁、または出力励磁を消滅させ低トルクの動力で低速回転とし発電機側を高速回転とした変速機を使用し動力側の燃料または電力消費量を半減させる事が出来ないか。
【課題を解決するための手段】
【０００５】
本発明は、ステータヨークを円筒形としロータが挿入される内円周も円形としスロットの無いドーナッツ型に切断した薄い電磁鋼板を積層されたステータヨーク、鉄スロット無しとされたステータヨーク内円周に鉄のスロットに代わる無吸着スロットを配設されておるステータヨークとし、無吸着スロットは磁石に吸着しないステンレス、アルミニウム、アクリル板、塩ビ樹脂、ガラス繊維、ゴム、ビニールホース、スロットシートを無吸着スロットとし、無吸着スロットの薄い一枚の部材をステータヨーク長さより少し長い寸法で切断された無吸着スロットとし、Ｕの字型、コの字型、丸パイプ型、楕円形に加工した無吸着スロットの通電する部材にはスロットシートを配設し、通電しない部材にはスロットシートを配設しないとした無吸着スロットをステータヨーク内円周に開口部をロータ側に向け固定された無吸着スロットに発電コイルを挿入し無吸着スロット発電コイルとし、無吸着スロットの固定は溶接止め、ビス止め、樹脂系ゴム糊で固定し、更にステータヨーク前後に作られた突起部とステータヨークから出した無吸着スロット発電コイルを糸、結束バンド、融着テープで固定されておる無吸着スロット発電コイルとし、また無吸着スロット開口部の銅線飛び出し防止とし開口部に被せたスロットシートと無吸着スロットを樹脂系ゴム糊、熱溶融接着材のビニール樹脂で接着された無吸着スロットとし、無吸着スロット発電コイルのステータヨーク配設は、発電コイルと２極ロータ、４極ロータ、６極ロータ、６極ロータ型３極ロータとしたロータ極数と同数か所の多重巻き発電コイルとするかロータ極数の三相発電コイルを配設とするか２相の発電コイルを配設とするか１相の発電コイルを配設とし、ステータヨークに配設された無吸着スロット発電コイルは、水平に据え置かれた回転軸ロータに対して無吸着スロット発電コイルを回転軸ロータの回転方向に平行に並べられた無吸着スロット発電とするか、回転軸ロータに対して斜めとし回転方向に斜め平行に並べられた無吸着スロット発電コイルとし配設角度を１０度から４５度とするか可能な限り斜めとした角度に配設された無吸着スロット発電コイルとするか配設された無吸着スロット発電コイルを分離コイルとし、配設された無吸着スロット発電コイルか分離コイルをロータ磁束がステータヨーク内円周を吸引しながら回転と共に発電コイルを横切り、又は、発電コイルを斜めに横切り起電力を出力としたこと、平行に配設された無吸着スロット発電コイルの利点は、製作が簡単であり出力励磁の発生する位置からロータを遠く離した位置として出力励磁とロータ磁束の引き合う磁力が弱められておる平行無吸着スロット発電コイルとしたこと、斜め平行に配設された無吸着スロット発電コイルの利点は、斜め無吸着スロット発電コイル内に出現した斜め出力励磁と平行なロータ極との磁束が回転と共に、斜めと、平行の交差する小さい範囲で磁束が引き合い低速回転で出力励磁とロータ磁束とを引き離す事が出来るとし、また細長い２枚の永久磁石が隙間をあけて平行に吸引している状態の永久磁石を引き離すのに１０の力が必要とした時に、細長い２枚の磁石の片方を４５度から５０度に傾けると５の力で引き離せるとしたことを利用した斜め発電コイルの配設としたこと、無吸着スロット発電コイルの出力配線は、発電コイルを個々に単相出力とするか、ロータの同極が同時に通過する発電コイル同士を直列配線しコイル巻き始め銅線を出力線としコイル巻き終わり銅線を中性点とした出力線と中性点から単相出力とするか、三相無吸着スロット発電コイルの巻き終わり銅線を中性点とし三本をスター結線かデルタ結線とし巻き始め出力線から三相出力とした配線としたこと、分離コイルは、無吸着スロット発電コイルを外側コイルと内側コイルとに分離し発電コイルを二系列とした分離コイルの利点は、発電コイルを外側コイルと内側コイルに分離したコイルに同時に交流起電力を同方向に出力させると無吸着スロット発電コイル内のロータ側表面から出力励磁が単相出力の中性点が無い場合のみ消滅するとしたことを利用した分離コイルとし、消滅した出力励磁は、ステータヨーク内部で外側コイルと内側コイルの磁力線が吸引し合いステータヨーク内部深くに潜み込ませた出力励磁としたが、ロータの反発磁束がステータヨーク内部に潜み込んだ出力励磁に届いてしまい起電力を出力中に少しロータの回転が重くなるとして次の様に配設または施工されたのも有るとした発電コイルとロータは、ステータヨークの幅を無吸着スロット長さより１、５倍から２倍に広げたステータヨークの幅とするか、無吸着スロットをロータ側に長さを長くしコイル巻き数を増しロータの直径を小さくする為に扇型磁石の高さを短くされておるか、ロータ扇型磁石のコイル側形状を弧円から直線状とされておるロータとするかとしたステータヨークの出力励磁が弱磁した範囲にロータ外側が位置する様に間隔調整がされたロータも有るとしたこと、分離配線の出力励磁が消滅する発電コイルとロータ極の関係は、Ｕ１番コイルの分離コイルとロータの１番極で説明すると、ロータを右回転としてステータヨークに配設されたＵ１番コイルの外側コイルと内側コイルの無吸着スロット発電コイル左側コイル銅線を１番ロータ極が通過してから外側コイルと内側コイルの右側コイル銅線上に１番ロータ極が到達するとするか、外側コイルの左側銅線を１番ロータ極が通過し左側銅線の内側コイルを１番ロータ極が通過中に右側銅線の内側コイルと外側コイル上に１番ロータ極が到達するとした時間差発電とし使用されたロータを中央穴あき扇型磁石ロータとしたネオジム磁石を使用したロータとしたこと、ステータヨークに配設されておる各無吸着スロット発電コイルの渡り配線をコイルとコイルの中間で結線とするかコイルの巻き始めから他の連結するコイル巻終わりまで連続した結合部の無いコイルの直列配線とし、またステータヨーク外に銅線を引き出す引き出し銅線は、発電コイルから少し出た位置でコイル銅線と少し太い漏電防止された引き出し銅線を結線し、結線部を収縮チュウブ、ビニールテープ、融着テープ、ガラス繊維で漏電防止した引き出し銅線を発電機の脇または後側蓋に配設した操作盤の単相か三相漏電防止機の入力端子まで配線し出力端子から整流し直流と交流として電圧計から各出力端子、または差し込み部に配線されておるとした発電機は、発電機ケース無しとするかケース有り発電機とした無吸着スロット発電コイル発電機としたこと
【０００６】
明細書の読み方とし、回転軸の動力伝達側を発電機、ステータヨーク、ロータ、の前側とし反対方向を後側、ステータヨークのロータ側を内側としケース側を外側として内側と外側の長さを幅としたこと、ステータヨークの積層方向を積層長さとし、ステータヨーク内側に配設され無吸着スロットの１番はどこの位置を１番として良いとした１番スロットからの右回り通し番号とし、無吸着スロット発電コイルの左右は回転軸方向から見てコイルの左側コイル銅線と右側コイル銅線とし、多重巻き無吸着スロット発電コイル又は外側コイルと内側コイルとし、無吸着スロットの高さはステータヨーク内側からロータに接蝕しない範囲を高さとし、多重巻き発電コイルは配設中心位置を角度で示した中心位置から左右に幅とした広さのコイル、ゼロ度位置はステータヨーク内側の無吸着スロットのどの位置でも良い、無吸着スロット発電コイルの斜め平行とした配設は、前側ステータヨークから後側ステータヨークまで水平に据え置かれ回転軸に対して１０度から４５度とするか可能な限り斜めとした配設とし、可能な限り斜めとは４５度を超える斜めとし、斜め配設はステータヨーク内円周にステータヨーク前側から右上がり斜め、右下がり斜めとした斜め平行に並べられた無吸着スロット発電コイル、多重巻き発電コイルは１番、２番、３番、から６番、７番、８番としたスロットに一番外側コイルを１番と８番のスロットに配設、中間コイルを２番と７番のスロットに配設、一番内側コイルを３番と６番のスロットに配設された３重巻き発電コイルの場合とし、発電コイルの出力線を左側銅線と統一し理解しやすく記載したが、配線を反対に見ると右側コイル銅線を出力線としたコイル配線も有るとしたこと、また定格出力を安定させる為にスロット数を増した多重巻き発電コイルとし余裕を持って一定の出力とし、ロータ極を発電機の前側から見て右回りで１番極から６番極とし、反発磁束とはロータ各極に同極磁石を数枚から数十枚を配設し反発する同極磁石をボルトとナットで締めて密着とするか少し間隔を取り固定した時にコイル側に盛り上げた磁束のこと、発電機の固定脚側を下とし反対側を上とし、時間差発電は一か所の外側コイルと内側コイルの左側銅線と右側銅線を同時に通過すると分離コイルから出力しない為に時間差発電とし、また発電機を説明するのに困難とし組立て方や作業の方法などを一部記載としたこと
【０００７】
ステータヨークは、外径を円筒形とし内径も円形としたドーナッツ型に切断した薄板積層材を電磁鋼板材のステータヨークとするか薄い軟鉄材を使用したステータヨーク、またはドーナッツ型に切断した電磁鋼板の何枚かに一枚を軟鉄とし混合配設されたステータヨークとし、ステータヨーク強度を保つ為の内径からステータヨーク外径の幅とした長さを無吸着スロットのロータ側に向けた高さと同じ長さのステータヨーク幅の長さとするか、無吸着スロット長さより長いステータヨーク幅としてステータヨークの強度不足にならない様にとし、ステータヨーク内径はロータ外径と無吸着スロット高さ寸法を足した直径の長さで円形に切断されたステータヨーク内径として切断された何十枚かの薄板を重ね合わせたステータヨークとし、ステータヨークの固定は、ステータヨーク外周側を数か所とステータヨーク内側円形部数か所を積層方向に一か所に一本の連続された溶接で固定されたステータヨークとし、ステータヨークの薄板を多数枚積層され長いステータヨークの方が銅線を長く配設し負荷側に出力する起電力が安定するとしたステータヨーク内側に無吸着スロット発電コイルを配設した後にステータヨーク全体を漏電防止のワニスが塗られておるステータヨークとするかワニスが塗られていない切断加工したままのステータヨークとし、ステータヨーク内径に配設された無吸着スロット発電コイルのロータ側高さをロータに接触しない高さとしたこと
【０００８】
無吸着スロットは、磁力に吸着しない部材で鉄スロットの変わりとしコイル銅線を定位置にまとめる為に配設されたスロットとし、無吸着スロットの部材をステンレス、アルミニウム、塩ビ樹脂、ガラス繊維、アクリル板、ビニール、プラスチックの部材でスロットをＵ型、丸形、コの字型、楕円型に加工しロータ側に銅線挿入口を向け固定された無吸着スロットとし、無吸着スロットの固定は、樹脂系ゴム糊で無吸着スロットをステータヨーク内径に接着し固定とするか、ステータヨーク内径に丸溝か四角溝を加工してあり無吸着スロットのステータヨーク側にも丸突起部か四角突起部が作られており、無吸着スロットの突起部がステータヨーク内径の丸溝か四角溝に挿入しロータ側に抜けない様に固定されておる無吸着スロットとしたこと、無吸着スロットの通電する部材にはスロットシートを無吸着スロットに挿入するが通電しない部材にはスロットシートを挿入しないとし、また無吸着スロットの銅線挿入口にはコイル配設後に銅線飛び出し防止のシートを無吸着スロットに差し込むとするか、飛び出し防止シートを差し込んだ後に樹脂系ゴム糊か熱溶融接着材のビニール樹脂で飛び出し防止シートと無吸着スロットを接着するとしたこと、丸棒突起部は、ステータヨーク前後幅方向の中間に小さな穴を奇数番号の無吸着スロット位置に穴を開けており、穴には鉄棒、アルミ棒、樹脂棒、木の棒、竹の棒、長ボルトが差し込まれており配設された無吸着スロット発電コイルのステータヨークから出たコイルエンドの無吸着スロット部と突起部の差し込み棒とを結束バンド、糸、融着テープでステータヨークの前側と後側から出した無吸着スロット発電コイルの両側を固定とし、更に無吸着スロットの中間部とステータヨークの接している部分を樹脂系ゴム糊で固定されておる無吸着スロットとしたこと、ガラス繊維は、コイルを一定の巻き数で巻き完成したコイルのステータヨーク長さ範囲の左右銅線束に銅線保護用ビニールテープを巻き付けてからガラス繊維を巻き付け、銅線束をロータ方向に楕円型とした成形後にポリエステル樹脂に硬化剤を混ぜて楕円形にポリエステル樹脂を塗り固めた無吸着スロット発電コイルとしたこと、アクリル樹脂無吸着スロットはステータヨーク内側に無吸着スロットの高さの型にアクリル樹脂を流し込み硬化したらアクリル樹脂にスロットを機械加工とし、または無吸着スロットを先に配置してからアクリル樹脂を流し込み無吸着スロット固定した後にロータ側に開口部を加工された無吸着スロットのステータヨークとしたこと
【０００９】
多重巻き無吸着スロット発電コイルの配設位置をステータヨーク内径のどこの位置をゼロ度位置としも良い、ゼロ度位置からの多重巻き無吸着スロット発電コイルの配設を２極ロータは、ゼロ度位置と１８０度位置とし、２極ロータと三か所に多重巻き無吸着スロット発電コイル配設は、ゼロ度位置、１２０度位置、２４０度位置とし、４極ロータと四か所に多重巻き無吸着スロット発電コイルの配設は、ゼロ度位置、９０度位置、１８０度位置、２７０度位置とし、６極ロータと３か所の多重巻き無吸着スロット発電コイルの配設は、ゼロ度位置、１２０度位置、２４０度位置、とした中心位置から左右に幅とした多重巻き無吸着スロット発電コイルを配設とし、また２極ロータ、４極ロータ、６極ロータとステータヨークに分布巻き無吸着スロット発電コイル三相配設としたこと、無吸着スロットに配設された発電コイル銅線の本数は、一本で巻いたコイル、二本で巻いたコイル、三本で巻いたコイル、四本で巻いたコイル、数本を束にして巻いた無吸着スロット発電コイルをステータヨーク内側に平行とするか斜めに配設とし、平行配設は水平に据え置かれた回転軸ロータに対して平行にロータ回転方向に並べられた無吸着スロット発電コイルとし、斜め配設は水平に据え置かれた回転軸ロータに対して前側ステータヨークから後側ステータヨークに１０度から４５度とするか可能な限り斜めとした角度に斜め右下がり配設とするか斜め右上がり配設としロータの回転方向に斜め平行に並べられた無吸着スロットの多重巻き無吸着スロット発電コイルか三相発電コイルとし、配設された無吸着スロットの１番発電コイルから他の発電コイルに直列配線は、コイルからコイルに渡り配線を結線とするかコイル巻き始めからコイル巻き終わりまで結線部なしとした直列配線とし、またコイル渡り銅線、コイル出力線と中性点に結線する引き出し銅線を付けるコイル側をステータヨーク前側とするかステータヨーク後側としたこと
【００１０】
多重巻き発電コイルは、コイル幅を一定に保ったコイル配設とコイル幅を段々と広くされたコイル配設とした一例を記載するとし、一か所の無吸着スロットを１番から１０番とした通し番号の無吸着スロットにコイル幅を一定の幅とした多重巻き発電コイル配設は、無吸着スロットの１番から７番、２番から８番、３番から９番、４番から１０番の四重巻き無吸着スロット発電コイル配設位置関係とし、また一か所の多重巻き発電コイルの外側コイルで内側コイルを囲む様にコイル幅を段々と広げる配設は、無吸着スロットの４番から７番、３番から８番、２番から９番、１番から１０番とした四重巻き無吸着スロット発電コイル配設の位置関係とし、また配設した無吸着スロット発電コイルを２系列に分離し出力励磁を消滅する内側コイルと外側コイルとする場合は４番から７番と３番から８番のコイルを直列配線し同方向巻き内側コイルとし、２番から９番と１番から１０番のコイルを直列配線し同方向巻き外側コイルとした２系列の２重巻き無吸着スロット発電コイルとし外側コイルと内側コイルを同方向巻きコイルとしたこと
【００１１】
中央穴あき扇型磁石を回転軸に固定する金具をステンレスパイプ、前側円盤、T型動力伝達板、通しボルトとナットで固定された永久磁石ロータとし、回転軸にロータ長さより長いステンレスパイプを被せパイプの前後を回転軸に点溶接でパイプを固定し、前側円盤の中央に作られた穴に回転軸パイプを挿入しロータの前側円盤位置で垂直に前側円盤と回転軸パイプとを溶接固定とし、固定された前側円盤をロータの極数に分割し分割部に極数分のＴ型動力伝達板が配設されＴ型動力伝達板と回転軸パイプと前側円盤が接する部分をタップ溶接し永久磁石ロータの固定金具とし、また回転軸に前側ベアリングと吸い込み、吐き出しとした回転方向により変わる角度の付いたファンとロータと後側ベアリングとした順番に配設された回転軸とし、ロータの各極に配設する永久磁石を磁力の強い永久磁石を使用するかネオジム永久磁石を使用し、扇型の中央穴あき扇型磁石としてコイル側に弧円とし回転軸側も弧円とするか直線状の扇型磁石とするか、中央穴あき扇型磁石のコイル側を直線状とした平な扇型磁石のコイル側とした中央穴あき扇型磁石の磁極をコイル側と回転軸側に着磁し、中央穴あき扇型磁石をロータに配設は、ロータ極数に分割された前側円盤分割部の一か所の分割範囲を扇型磁石の回転方向の長さとし、回転軸の長さ方向に扇型磁石の厚みとし、回転軸から少し隙間を開けた位置からコイル側に磁石の高さとし、高さが高いほど反発磁束がコイル側に押し出される磁力が遠くまで届きステータヨーク内に隠れた出力励磁と吸引する為に扇型磁石の高さを低く制限したロータも有るとしたこと、また扇型磁石の中央に穴が開けられた扇型磁石のコイル側左右端に下段が施されておる一枚の中央穴あき扇型磁石とし、中央穴あき扇型磁石の中央穴はボルト通し穴とし、扇型磁石左右に作られた下段は前側円盤に極数分配設された左右のＴ型動力伝達板のＴ型磁石押さえ部が入る下段とし、前側円盤のロータ極数に分割した位置に固定されたＴ型動力伝達板に両側を押さえられた中央穴あき扇型磁石の同極をコイル側に向け何枚も一定の間隔で固定されロータ１番極とし、２極ロータをＮ極とＳ極、Ｎ極とＮ極、Ｓ極とＳ極としたロータ、４極ロータをＮ極とＳ極を交互に配設したロータ、６極ロータをＮ極とＳ極を交互に配設したロータとどちらかの極を取り除いた６極型３極ロータとし、ロータ各極は扇型磁石の同極同士の反発磁束をコイル側に盛り上げた磁束でステータヨークを吸引させる様に扇型磁石を前側円盤のＴ型動力伝達板とＴ型動力伝達板の間に配設され磁石押さえ部で固定された中央穴あき扇型磁石を、前側円盤の外側から中央穴あき扇型磁石数枚の中央の穴に通したボルトで密着とするか少し隙間を開けた位置にナットで締めて固定とし、またナット固定位置と同場所のＴ型動力板磁石押さえ部を回転軸側に９０度に曲げ挿入した扇型磁石が飛び出ない様に９０度曲げ部とナットで固定されておるロータとし、ロータのＮ極とＳ極、またはＮ極とＮ極、Ｓ極とＳ極のロータとも反発し合う磁束はステータヨークを通り抜けてしまい発電機ケースまで到達する程の反発磁束でケースに渦電流を発生させてケースが発熱するとしてケース無し発電機とし、またはケース有り発電機のケースは、ロータ真上の��ースに渦電流が大きく発生しない様にアルミ材、厚い鉄を使用しないで、薄い鉄で凹凸や細長い穴を作り凹み部の何点かでステータヨークの外側を押さえ固定としたこと、ロータ極に使用した磁石をネオジム磁石としたが永久磁石を中央穴あき扇型とし回転軸側とコイル側に磁極を着磁させて反発磁束としたロータとすればどんな永久磁石でもロータとし使用が可能とし、またロータをＮ極ロータ、Ｓ極ロータとされたロータの起電力を整流するとプラスとマイナスに整流されＮ極とＳ極のロータと起電力は変わりないとし、ただ電圧を上昇させるのにはＮ極とＳ極を交互に配設したロータの方が２極ロータ以外は低速で電圧を上昇させる事が出来るとしたこと、回転軸のロータをＮ極とＮ極、Ｓ極とＳ極とされたロータの回転軸をステンレスとするか磁石に弱く吸引するステンレスとし、また使用されているベアリングをステンレス製とし回転軸が磁束で磁化されベアリングが吸着し摩擦で発熱するのを防ぐとしたこと
【００１２】
ケース無し発電機は、ステータヨークを溶接で固定されたステータヨークを使用し、前後蓋の蓋中心にベアリングが入るベアリングケースが付けられておる前蓋と後蓋の内側にコイルエンドを保護する縁が付いており、前後蓋と縁には数か所の穴が開けられており穴は空冷空気を通す穴とし、また縁のステータヨーク側に内側段を数ミリ旋盤加工し嵌まり込み部としてステータヨークを前蓋と後蓋の嵌まり込み部で挟み込み回転軸の中心を保ちながら前後蓋縁の外側同位置に付けられたボルト穴材に長ボルトを前蓋から後蓋に通してナットで締めて蓋とステータヨークを固定とし、または前後蓋に付けられたボルト穴材のどちらかの穴にネジ山を作り穴材ナットとしボルトで締めて蓋とステータヨークを固定としたケースなし発電機とし、ケース付発電機は、ケースを薄い鉄材とし、ステータヨークを固定する位置のケースをプレス加工で回転軸長さ方向に細長く出っ張り部を内側に向け何か所か加工した出っ張り部の内側でステータヨークを固定するとした出っ張り部の長さをステータヨーク長さより長くし通気性を良くしたこと、出っ張り部以外のロータ真上ケース部分に細長い穴を何か所か開け空冷と渦電流を小さくするとしたケースとし、前後蓋の内側にベアリングケースと短い縁が付けられており、前後蓋縁とケースの両端に段を作り、ケースは外側段とし前後蓋に内側段とした嵌め込み部でケースと前後蓋を嵌め込み回転軸中心位置を固定し、前後蓋縁の内側に何か所かのボルト穴を開けボルトを蓋外側から前側蓋縁内側とケース出っ張り部脇を通し後側蓋縁の外側にボルトを出しナットで締めて前後蓋とケースを固定としたこと、ケース無し発電機の固定脚を前後蓋の縁に合計で４脚を平行と水平に付けられた脚とし、脚を付けた側を発電機の下側として後蓋縁の上側に引き出し銅線を出す穴を開けたケース無し発電機とし、またケース付発電機の脚をケース両端の外側にケース外周から少し出した位置で脚の固定ボルト穴材を平行と水平位置になる様に配設し溶接固定され、脚付ケースを平面に置いた時に数ミリの隙間がケース下に出来る様にした脚固定とし、脚固定されたケース側を下側とし、後蓋の上側に引き出し銅線を出す穴を開けたケース付発電機としたこと、またプレス加工しない場合は、長方形角パイプの短い方を縦方向に長い方をプレス位置に溶接固定して通気性を良くしたケースとし、前後蓋を鉄材とするかアルミ材とした発電機をエンジン、モータで駆動させるのに駆動機に発電機を直結し発電するか、駆動機と変速機で発電機を結合し発電するとしてロータ極数が多い発電機は直結とし、ロータ極数が少ない発電機は駆動機と変速機で発電機を結合し回転を高速とし起電力の電圧を上昇させるとしたこと
【００１３】
無吸着スロット発電コイルを二系列とし分離するコイル数が偶数個の場合は多重巻き発電コイルを外側コイルと内側コイルとに半数に分離したコイル配線とし、奇数個の場合は多重巻き発電コイルの外側コイルを２個とし内側コイルを１個とした二対一の割合としたコイルの分け方とするか、外側コイルを１個とし内側コイルを２個とした二対一とした割合の２系列とした配線も良い、また分布巻き三相無吸着スロット発電コイルは、８個のスロットを使用した四重巻き無吸着スロット発電コイルの外側コイルを２個のコイルとし内側コイルを２個のコイルと分離した配線とし、４個のスロットを使用した二重巻き無吸着スロット発電コイルの外側コイルを１個のコイル、内側コイルを１個のコイルとして二系列に分離された無吸着スロット発電コイル配設としたこと
【００１４】
二系列分離コイルの利点は、一か所の四多重巻き発電コイルを二重巻き外側コイルを右巻きコイルとし直列配線、二重巻き内側コイルを右巻きコイルとし直列配線とされた同方向巻きコイルの二系列に分離された外側コイルと内側コイルから同時に単相出力させると、分離された２個のコイル内に発生する出力励磁がステータヨーク内部で吸引し合いステータヨークの無吸着スロット発電コイル内のロータ側表面から出力励磁が消滅し、鉄棒をコイル内とコイル近辺に接触しても磁力に吸引されないとしたことを利用した分離コイルとし出力励磁が表面からステータヨークの内部に浸入し表面から出力励磁が消滅としたこと、二系列の分離されたコイルに使用されたロータとコイルの関係は、ロータが右回転している状態として配設された一か所の無吸着スロット発電コイルで説明すると、外側コイルと内側コイルの左側コイル銅線をロータ１番極が通過してから外側コイルと内側コイルの右側コイル上にロータ１番極が到達するとするか、外側コイルの左側銅線をロータ１番極が通過し内側コイルの左側銅線を通過中に外側コイルと内側コイルの右側コイルにロータ１番極が到達するとした無吸着スロット発電コイルとロータの位置関係とし、位置関係を保つ為にロータ極の回転方向の長さを内側コイル幅内に入る様に短い中央穴あき扇型磁石の回転方向の長さとするか、ロータ１極の回転方向長さより広い内側コイル配設幅としたこと、一例を記載とし、４極ロータの無吸着スロット数を１番から４８番とし、ロータの１番極の長さは、ステータヨーク無吸着スロット数の四分の一とした１番から１２番の無吸着スロット数の長さとしたロータ１番極ロータと二系列とし分離された無吸着スロット発電コイルの配設は、外側コイルを１番と２番の無吸着スロットから１５番と１６番の無吸着スロットに二重巻き発電コイルを配設し、内側コイルを３番と４番の無吸着スロットから１３番と１４番の無吸着スロットに二重巻き発電コイルを配設とした幅のコイルとし、この発電コイル配設でロータ１番極が外側コイルの左側コイル銅線を通過した時にロータ１番極が右側コイル銅線上に到達する直前とした状態とし、内側コイルはロータが左側コイル銅線を通過中に右側コイル銅線上にロータ一極が到達している状態とし、外側コイルをロータが通過すれば内側コイルはロータが通過中でも良いとしたコイル幅とロータ極の長さとした出力励磁を消滅させるロータと無吸着スロット発電コイルの関係としたこと、なぜ外側コイルと内側コイルを１番ロータが同時に通過させないのか、同時に分離した外側コイルと内側コイルを１番極ロータが通過すると並列配線で起電力が出力しない為に時間差でコイルをロータが通過する様にしたこと
【００１５】
二系列とし分離された無吸着スロット発電コイルの出力配線は、外側無吸着スロット発電コイルの左右銅線から単相出力と内側無吸着スロット発電コイルの左右銅線から単相出力とし、また外側と内側の同方向右側銅線同士を結線し左側銅線同士を結線し単相出力線を４本の単相出力線から２本の単相出力線とすることも良いとしたこと、また二系列とし分離された分布巻き三相無吸着スロット発電コイルは、Ｕ線、Ｖ線、Ｗ線とした三相線の外側コイルを直列配線し内側コイルも直列配線とした同方向巻きコイルの各線から単相出力線を６本とするか、同線の同方向単相出力線を結線し３本の単相出力線としても良い、また３本の単相出力線の同方向出力線を中性点とし３本を結線しスター結線の三相出力とすると起電力の電圧も上昇して良いが中性点を結線したコイルに出力励磁が発生する為少し回転に負荷を感じるが全体的に低トルクの動力で回転するので問題なしとしたスター結線の発電機とするか、デルタ結線された三相出力線は出力励磁が発生する為に回転に負荷を感じ又起電力の電圧が少し低いが回転を少し上げて対応するとした発電機とし、また外側コイルをスター結線とし内側コイルをデルタ結線としても良いが、基本的に単相出力とした二系列の分離された無吸着スロット発電コイルとし、分離コイルの利点は出力励磁を消滅すること、コイル熱、ステータヨークの発熱が定格内の出力なら１時間発電機を運転しても少し熱を感じる程度としたこと
【００１６】
２極ロータと多重巻き発電コイルの配設は（図１）、２極ロータをＮ極とＳ極とするか、Ｎ極とＮ極のロータかＳ極とＳ極のロータとし、無吸着スロットを回転軸に対して平行に配設された無吸着スロットとするか、斜めに配設された無吸着スロットとした無吸着スロットに発電コイルを３重巻き、４重巻き、５重巻き、６重巻きとした多重巻き発電コイルとし、ロータ２極が同時に通過する位置に配設された多重巻き発電コイルとし、配設位置が同じとして１番から２４番の無吸着スロットに４重左巻き発電コイルの配設を記載とし、Ｕ１番発電コイル巻き始め左側銅線を出力線とし２番と３番と４番と５番から８番と９番と１０番と１１番の無吸着スロットに左巻き発電コイルを配設し巻き終わり右側銅線を中性点とし、Ｕ２番発電コイル巻き始め左側銅線出力線とし１４番と１５番と１６番と１７番から２０番と２１番と２２番と２３番の無吸着スロットに左巻き発電コイルを配設し巻き終わり右側銅線を中性点とし、また使用していない番号部は無吸着スロットを配設しないとし、無吸着スロット発電コイルの配線は、ロータ極をＮ極とＳ極とされたロータと無吸着スロット発電コイルの配線は、個々に４重巻き発電コイルから２か所の単相出力とするか、Ｕ１番発電コイルの中性点とＵ２番発電コイルの中性点を結線し並列配線としU１番とU２番の各出力線から単相出力とし、ロータ極をＮ極とＮ極、またはＳ極とＳ極とされたロータと無吸着スロット発電コイルの配線は、個々に４重巻き発電コイルから２か所の単相出力とするかＵ１番発電コイルの中性点とＵ２番発電コイルの出力線を結線し直列配線としＵ１番出力線とＵ２中性点から単相出力を一か所としたこと、無吸着スロット発電コイルから少し出た位置の銅線に漏電防止された少し太い引き出し銅線を付け、引き出し銅線をステータヨーク外に作られた操作盤に配線し単相漏電防止スイッチから電流計から１００Ｖ差し込みへと配線された発電機とし、またエンジンを動力とした発電機の操作盤にエンジンＯＮ、ＯＦＦスイッチ、水温計、オイル計、稼働時間積算メータを付けた操作盤としたとたこと
【００１７】
２極ロータと２相無吸着スロット発電コイル（図２）が配設された無吸着スロットを回転軸に対して平行に配設された無吸着スロットとするか、斜めに配設された無吸着スロットとし、右回り通し番号の１番から３２番の無吸着スロットに２重巻き発電コイルの配設は、Ｕ１番コイルの左側巻き始め銅線を出力線とし１番と２番から７番と８番の無吸着スロットに左巻きコイルを配設し巻き終わり右側銅線を中性点、Ｕ２番コイル左側巻き始め銅線を出力線とし９番と１０番から１５番と１６番の無吸着スロットに左巻きコイルを配設し巻き終わり右側銅線を中性点、Ｕ３番コイル巻き始め銅線を出力線とし１７番と１８番から２３番と２４番の無吸着スロットに左巻き発電コイルを配設し右側巻き終わり銅線を中性点、Ｕ４番コイル巻き始め銅線を出力線とし２５番と２６番から３１番と３２番の無吸着スロットに左巻き発電コイルを配設し右側巻き終わり銅線を中性点、Ｖ１番コイル左側巻き始め銅線を出力線とし５番と６番から１１番と１２番の無吸着スロットに左巻きコイルを配設し右側巻き終わり銅線を中性点、Ｖ２番コイル左側巻き始め銅線を出力線とし１３番と１４番から１９番と２０番の無吸着スロットに左巻きコイルを配設し右側巻き終わり銅線を中性点、Ｖ３番コイル左側巻き始め銅線を出力線とし２１番と２２番から２７番と２８番の無吸着スロットに左巻きコイルを配設し巻き終わり右側銅線を中性点、Ｖ４番コイル左側巻き始め銅線を出力線とし２９番と３０番から３番と４番の無吸着スロットに左巻きコイルを配設し右側巻き終わり銅線を中性点としたこと、この配線にロータ極をＮ極とＳ極とされた発電コイル配線は、個々に２重巻き発電コイルの出力線と中性点から単相出力とするか、Ｕ発電コイルとV発電コイルの同時に通過するU１コイルとU３コイル、U２コイルとU４コイル、V１コイルとV３コイル、V２コイルとV４コイルの各中性点同士を結線し並列配線とし各出力線から単相出力を４か所の出力線とし、ロータ極をＮ極とＮ極、またはＳ極とＳ極とされた発電コイル配線は、個々に２重巻き発電コイルから単相出力とするか、同時に通過するコイルの中性点と出力線を直列配線し各出力線と中性点から４か所の単相出力とするか、直列配線されたＵコイルの１番、３番とUコイルの２番、４番、Vコイルの１番と３番、２番と４番の各中性点を結線し並列配線とし発電電圧を上昇させたＵコイルとＶコイル２か所の単相出力とし、また２か所の単相出力とされたUコイルとVコイルの同方向に出された出力線を結線し１か所の単相出力としたこと、各出力線は無吸着スロット発電コイルの銅線に漏電防止された引き出し銅線を付け、引き出し銅線をステータヨーク外に作られた操作盤に配設された単相漏電防止スイッチ入力端子まで配線し出力端子から電流計、１００Ｖ差し込みへと配線された発電機とし、またこの配線は４極ロータの２相無吸着スロット発電コイル発電機にも使用できるとしたこと
【００１８】
２極ロータと三相無吸着スロット発電コイルが配設された無吸着スロットを回転軸に対して平行に配設された無吸着スロットとするか、斜めに配設された無吸着スロットとし、右回り通し番号の１番から３６番の無吸着スロットに３重巻き発電コイルの配設は、Ｕ１番コイル巻き始め左側銅線を出力線とし１番と２番と３番から１６番と１７番と１８番の無吸着スロットに左巻きコイルを配設し巻き終わり右側銅線を中性点、Ｕ２番コイル巻き始め左側銅線を出力線とし１９番と２０番と２１番から３４番と３５番と３６番の無吸着スロットに左巻きコイルを配設し巻き終わり右側銅線を中性点、Ｖ１番コイル巻き始め左側銅線を出力線とし１３番と１４番と１５番から２８番と２９番と３０番の無吸着スロットに左巻きコイルを配設し巻き終わり右側銅線を中性点、Ｖ２番コイル巻き始め左側銅線を出力線とし３１番と３２番と３３番から１０番と１１番と１２番の無吸着スロットに左巻きコイルを配設し巻き終わり右側銅線を中性点、Ｗ１番コイル巻き始め左側銅線を出力線とし２５番と２６番と２７番から４番と５番と６番の無吸着スロットに左巻きコイルを配設し巻き終わり右側銅線を中性点、Ｗ２番コイル巻き始め左側銅線を出力線とし７番と８番と９番から２２番と２３番と２４番の無吸着スロットに左巻きコイルを配設し巻き終わり右側銅線を中性点としたこと、ロータ極をＮ極とＳ極とされたステータヨークのコイル配線は、個々に３重巻き発電コイルから単相出力とするか、ＵＶＷ各三相発電コイルの同時に通過するコイルの各１番と２番のコイル中性点を結線し並列配線の単相出力を３か所とするか、並列配線されたＵＶＷ線の中性点三本を束にしてステー結線とした三相出力としたこと、ロータ極をＮ極とＮ極、またはＳ極とＳ極とされたステータヨークのコイル配線は、個々に３重巻き発電コイルから単相出力とするか、同時に通過するコイルの中性点と出力線を直列配線としＵＶＷ各出力線と中性点から単相出力とするか、直列配線されたＵＶＷ各コイルの中性点三本を束にしてステー結線またはデルタ結線とし、出力線は無吸着スロット発電コイルから少し出たステータヨーク後側位置で漏電防止された引き出し銅線を付け、引き出し銅線をステータヨーク外に作られた操作盤に配設された単相漏電防止スイッチ入力端子まで配線し出力端子から電流計、１００Ｖ差し込みへと配線された発電機としたこと
【００１９】
４極ロータと三相２重巻き発電コイル（図３）を配設する無吸着スロットを回転軸に対して平行に配設された無吸着スロットとするか、ステータヨーク前側から斜め右上りに配設された無吸着スロットとし、右回り通し番号の１番から２４番の無吸着スロットの１重巻き発電コイルと１番から４８番の無吸着スロットに２重巻き発電コイルが有りコイル配設が同じとして２重巻き発電コイル直列配線の配設は、Ｕ１番コイル巻き始め左側銅線を出力線とし１番と２番から１１番と１２番の無吸着スロットに左巻き発電コイルを配設し巻き終わり右側銅線をＵ３番コイル巻き始め左側銅線と結線し２５番と２６番から３５番と３６番の無吸着スロットに左巻きコイルを配設し巻き終わり右側銅線をＵ１中性点とし、Ｕ２番コイル巻き始め左側銅線を出力線とし１３番と１４番から２３番と２４番の無吸着スロットに左巻き発電コイルを配設し巻き終わり右側銅線をＵ４番コイル巻き始め左側銅線と結線し３７番と３８番から４７番と４８番の無吸着スロットに左巻きコイルを配設し巻き終わり右側銅線をＵ２中性点とし、Ｖ１番コイル巻き始め左側銅線を出力線とし９番と１０番から１９番と２０番の無吸着スロットに左巻き発電コイルを配設し巻き終わり右側銅線をＶ３番コイル巻き始め左側銅線と結線し３３番と３４番から４３番と４４番の無吸着スロットに左巻きコイルを配設し巻き終わり右側銅線をＶ１中性点とし、Ｖ２番コイル巻き始め左側銅線を出力線とし２１番と２２番から３１番と３２番の無吸着スロットに左巻き発電コイルを配設し巻き終わり右側銅線をＶ４番コイル巻き始め左側銅線と結線し４５番と４６番から７番と８番の無吸着スロットに左巻きコイルを配設し巻き終わり右側銅線をＶ２中性点とし、Ｗ１番コイル巻き始め左側銅線を出力線とし１７番と１８番から２７番と２８番の無吸着スロットに左巻き発電コイルを配設し巻き終わり右側銅線をＷ３番コイル巻き始め左側銅線と結線し４１番と４２番から３番と４番の無吸着スロットに左巻きコイルを配設し巻き終わり右側銅線をＷ１中性点とし、Ｗ２番コイル巻き始め左側銅線を出力線とし２９番と３０番から３９番と４０番の無吸着スロットに左巻き発電コイルを配設し巻き終わり右側銅線をＷ４番コイル巻き始め左側銅線と結線し５番と６番から１５番と１６番の無吸着スロットに左巻きコイルを配設し巻き終わり右側銅線をＷ２中性点としたこと、ＵＶＷ各線の出力配線は、各直列配線されたておる出力線と巻き終わり中性点から６か所の単相出力とするか、ＵＶＷ各相の１番と２番の直列配線された中性点を結線し並列配線とし各左側巻き始め出力銅線から３か所の単相出力とするか、３か所の単相出力とされておる同方向のコイル出力銅線を中性点とし３本を束に結線し、反対側の同方向の出力線から出力するとしたスター結線、またはデルタ結線とし、出力線は無吸着スロット発電コイルから少し出した所で引き出し銅線と結線し、引き出し銅線はステータヨーク外に引き出す銅線として漏電防止された少し太い引き出し銅線とし、引き出し銅線をステータヨーク外に作られた操作盤に配設された三相漏電防止スイッチ入力端子まで配線し出力端子から電流計、１００Ｖ差し込み、三相２００V端子へと配線された発電機としたこと
【００２０】
４極ロータと三相３重巻き発電コイルを配設する無吸着スロットを回転軸に対して平行に配設された無吸着スロットとするか、斜めに配設された無吸着スロットを右回り通し番号の１番から３６番の無吸着スロットに３重巻き無吸着スロット発電コイルの三相直列配線は、Ｕ１番コイル巻き始め左側銅線を出力線とし１番と２番と３番から１０番と１１番と１２番の無吸着スロットに左巻きコイルを配設し巻き終わり右側銅線をＵ２コイル巻き始め左側銅線と結線し１９番と２０番と２１番から２８番、２９番、３０番の無吸着スロットに左巻き発電コイルを配設し巻き終わり右側銅線をＵ１中性点とし、Ｖ１コイル巻き始め左側銅線を出力線とし７番と８番と９番から１６番と１７番と１８番の無吸着スロットに左巻きコイルを配設し巻き終わり右側銅線をＶ２コイル巻き始め左側銅線と結線し２５番と２６番と２７番から３４番と３５番と３６番の無吸着スロットに左巻き発電コイルを配設し巻き終わり右側銅線をＶ１中性点とし、Ｗ１コイル巻き始め銅線を出力線とし１３番と１４番と１５番から２２番と２３番と２４番の無吸着スロットに左巻きコイルを配設し巻き終わり右側銅線をＷ２コイル巻き始め銅線と結線し３１番と３２番と３３番から４番と５番と６番の無吸着スロットに左巻き発電コイルを配設し巻き終わり右側銅線をＷ１中性点としたこと、ＵＶＷの各コイルを左巻き直列配線とした出力は、出力線巻き始め銅線と巻き終わり中性点の銅線から単相出力とするか、ＵＶＷ線の右側巻き終わり中性点を３本束にしてスター結線とするかデルタ結線とし各出力線から出力とし、ステー結線またはデルタ結線とした出力線は無吸着スロット発電コイルからコイル外に引き出す銅線に漏電防止された少し太い引き出し銅線とし、ステータヨーク後側から引き出し銅線をステータヨーク外に作られた操作盤に配設し三相漏電防止スイッチ入力端子まで配線し出力端子から電流計、１００Ｖ差し込み、三相２００V差し込みへと配線された発電機としたこと
【００２１】
４極ロータと三相４重巻き発電コイルを配設する無吸着スロットを回転軸に対して平行に配設された無吸着スロットとするか、斜めに配設された無吸着スロットを右回り通し番号の１番から４８番の無吸着スロットに４重巻き発電コイルの配線は、Ｕ１番コイル巻き始め左側銅線を出力線とし１番と２番と３番と４番から１３番と１４番と１５番と１６番の無吸着スロットに左巻きコイルを配設し巻き終わり右側銅線をＵ２コイル巻き始め左側銅線と結線し２５番と２６番と２７番と２８番から３７番と３８番と３９番と４０番の無吸着スロットに左巻き発電コイルを配設し巻き終わり右側銅線をＵ１中性点とし、Ｖ１番コイル巻き始め左側銅線を出力線とし９番と１０番と１１番と１２番から２１番と２２番と２３番と２４番の無吸着スロットに左巻きコイルを配設し巻き終わり右側銅線をＶ２コイル巻き始め左側銅線と結線し３３番と３４番と３５番と３６番から４５番と４６番と４７番と４８番の無吸着スロットに左巻き発電コイルを配設し巻き終わり右側銅線をＶ１中性点とし、Ｗ１番コイル巻き始め左側銅線を出力線とし１７番と１８番と１９番と２０番から２９番と３０番と３１番と３２番の無吸着スロットに左巻きコイルを配設し巻き終わり右側銅線をＷ２コイル巻き始め左側銅線と結線し４１番と４２番と４３番と４４番から５番と６番と７番と８番の無吸着スロットに左巻き発電コイルを配設し巻き終わり右側銅線をＷ１中性点としたこと、ＵＶＷ線の直列配線された出力は、巻き始め銅線と巻き終わり銅線から３か所の単相出力とするか、各巻き始め左側銅線を出力線とし右側巻き終わり銅線を中性点としたスター結線かデルタ結線とした三相出力線とし、出力線は無吸着スロット発電コイルからコイル外に引き出す銅線に漏電防止された少し太い引き出し銅線とし、発電コイルから少し出た位置でコイル銅線と引き出し銅線を圧着端子、半田で結線し、結線部をビニールテープ、ガラス繊維で漏電防止された引き出し銅線をステータヨーク外に作られた操作盤に配設した三相漏電防止スイッチ入力端子まで配線し出力端子から電流計から１００Ｖ差し込み、三相２００V差し込みへと配線された発電機としたこと
【００２２】
６極ロータと三相２重巻き発電コイル（図４）を配設する無吸着スロットを回転軸に対して平行に配設された無吸着スロットとするか、斜めに配設された無吸着スロットを右回り通し番号の１番から１８番の無吸着スロットに一重巻き発電コイルと１番から３６番の無吸着スロットに２重巻き発電コイルが有りコイル配設位置は同じとして１番から３６番の無吸着スロットに二重巻き発電コイルの配設は、Ｕ１番コイル巻き始め左側銅線を出力線とし１番、２番から７番、８番の無吸着スロットに左巻きコイルを配設し巻き終わり右側銅線をＵ２コイル巻き始め左側銅線と結線し１３番、１４番から１９番、２０番の無吸着スロットに左巻き発電コイルを配設し巻き終わり右側銅線をＵ３コイル巻き始め銅線と結線し２５番、２６番から３１番、３２番の無吸着スロットに左巻きコイルを配設し巻き終わり右側銅線をＵ１中性点とし、Ｖ１番コイル巻き始め左側銅線を出力線とし５番、６番から１１番、１２番の無吸着スロットに左巻きコイルを配設し巻き終わり右側銅線をＶ２コイル巻き始め左側銅線と結線し１７番、１８番から２３番と２４番の無吸着スロットに左巻き発電コイルを配設し巻き終わり右側銅線をV３コイル巻き始め銅線と結線し２９番、３０番から３５番、３６番の無吸着スロットに左巻きコイルを配設し巻き終わり右側銅線をＶ１中性点とし、Ｗ１番コイル巻き始め左側銅線を出力線とし９番、１０番から１５番、１６番の無吸着スロットに左巻きコイルを配設し巻き終わり右側銅線をＷ２コイル巻き始め左側銅線と結線し２１番、２２番から２７番と２８番の無吸着スロットに左巻き発電コイルを配設し巻き終わり右側銅線をＷ３コイル巻き始め銅線と結線し３３番、３４番から３番、４番の無吸着スロットに左巻きコイルを配設し巻き終わり右側銅線をＷ１中性点とし、ＵＶＷ線の直列配線された出力は、巻き始め銅線と巻き終わり銅線から３か所の単相出力とするか、各巻き始め左側銅線を出力線とし右側巻き終わり銅線を中性点としたスター結線とするかデルタ結線とした三相出力線とし、出力線は無吸着スロット発電コイルからコイル外に引き出す銅線に漏電防止された少し太い引き出し銅線とし、ステータヨークの前側とするか後側の発電コイルから少し出た位置でコイル銅線と引き出し銅線を圧着端子、半田で結線し、結線部をビニールテープ、ガラス繊維で漏電防止された引き出し銅線をステータヨーク外に作られた操作盤三相漏電防止スイッチ入力端子まで配線し三相出力端子から電流計から三相２００Ｖ差し込みからダウントランスから１００Ｖ差し込みへと配線された発電機としたこと
【００２３】
６極ロータと三相２重巻き発電コイルを配設する無吸着スロットを回転軸に対して平行に配設された無吸着スロットとするか、斜めに配設された無吸着スロットを右回り通し番号の１番から７２番の無吸着スロットに２重巻き発電コイルの配設は、Ｕ１番コイル巻き始め左側銅線を出力線とし１番、２番から１１番、１２番の無吸着スロットに左巻きコイルを配設し巻き終わり右側銅線をＵ３コイル巻き始め左側銅線と結線し２５番、２６番から３５番、３６番の無吸着スロットに左巻き発電コイルを配設し巻き終わり右側銅線をＵ５コイル巻き始め銅線と結線し４９番、５０番から５９番、６０番の無吸着スロットに左巻きコイルを配設し巻き終わり右側銅線をＵ１中性点とし、Ｕ２番コイル巻き始め左側銅線を出力線とし１３番、１４番から２３番、２４番の無吸着スロットに左巻きコイルを配設し巻き終わり右側銅線をＵ４コイル巻き始め左側銅線と結線し３７番、３８番から４７番、４８番の無吸着スロットに左巻き発電コイルを配設し巻き終わり右側銅線をＵ６コイル巻き始め銅線と結線し６１番、６２番から７１番、７２番の無吸着スロットに左巻きコイルを配設し巻き終わり右側銅線をＵ２中性点とし、Ｖ１番コイル巻き始め左側銅線を出力線とし９番、１０番から１９番、２０番の無吸着スロットに左巻きコイルを配設し巻き終わり右側銅線をＶ３コイル巻き始め左側銅線と結線し３３番、３４番から４３番と４４番の無吸着スロットに左巻き発電コイルを配設し巻き終わり右側銅線をV５コイル巻き始め銅線と結線し５７番、５８番から６７番、６８番の無吸着スロットに左巻きコイルを配設し巻き終わり右側銅線をＶ１中性点とし、Ｖ２番コイル巻き始め左側銅線を出力線とし２１番、２２番から３１番、３２番の無吸着スロットに左巻きコイルを配設し巻き終わり右側銅線をＶ４コイル巻き始め左側銅線と結線し４５番、４６番から５５番、５６番の無吸着スロットに左巻き発電コイルを配設し巻き終わり右側銅線をＶ６コイル巻き始め銅線と結線し６９番、７０番から７番、８番の無吸着スロットに左巻きコイルを配設し巻き終わり右側銅線をＶ２中性点とし、Ｗ１番コイル巻き始め左側銅線を出力線とし１７番、１８番から２７番、２８番の無吸着スロットに左巻きコイルを配設し巻き終わり右側銅線をＷ３コイル巻き始め左側銅線と結線し４１番、４２番から５１番と５２番の無吸着スロットに左巻き発電コイルを配設し巻き終わり右側銅線をＷ５コイル巻き始め銅線と結線し６５番、６６番から３番、４番の無吸着スロットに左巻きコイルを配設し巻き終わり右側銅線をＷ１中性点とし、Ｗ２番コイル巻き始め左側銅線を出力線とし２９番、３０番から３９番、４０番の無吸着スロットに左巻きコイルを配設し巻き終わり右側銅線をＷ４コイル巻き始め左側銅線と結線し５３番、５４番から６３番、６４番の無吸着スロットに左巻き発電コイルを配設し巻き終わり右側銅線をＷ６コイル巻き始め銅線と結線し５番、６番から１５番、１６番の無吸着スロットに左巻きコイルを配設し巻き終わり右側銅線をＷ２中性点としたこと、ＵＶＷ線の奇数番号コイルと偶数番号コイルの直列配線された出力は、巻き始め銅線と巻き終わり銅線から６か所の単相出力とするか、各巻き始め左側銅線を出力線とし右側��き終わり銅線を中性点としたスター結線かデルタ結線とした２か所の三相出力線とし、出力線は無吸着スロット発電コイルからコイル外に引き出す銅線に漏電防止された少し太い引き出し銅線とし、発電コイルから少し出た位置でコイル銅線と引き出し銅線を圧着端子、半田で結線し、結線部を収縮チューブ、ビニールテープ、ガラス繊維で漏電防止された引き出し銅線をステータヨーク外に作られた操作盤三相２００Ｖ漏電防止スイッチ入力端子まで配線し、三相出力端子から三相２００Ｖ差し込みとダウントランスに配線されダウントランスから１００Ｖ差し込みへと配線された発電機としたこと
【００２４】
６極ロータと三相４重巻き発電コイル（図５）を配設する無吸着スロットを回転軸に対して平行に配設された無吸着スロットとするか、斜めに配設された無吸着スロットを右回り通し番号の１番から７２番の無吸着スロットに４重巻き発電コイルの配線は、Ｕ１番コイル巻き始め左側銅線を出力線とし１番、２番、３番、４番、から１３番、１４番、１５番、１６番の無吸着スロットに左巻きコイルを配設し巻き終わり右側銅線をＵ２コイル巻き始め左側銅線と結線し２５番、２６番、２７番、２８番から３７番、３８番、３９番、４０番の無吸着スロットに左巻き発電コイルを配設し巻き終わり右側銅線をＵ３コイル巻き始め銅線と結線し４９番、５０番、５１番、５２番から６１番、６２番、６３番、６４番の無吸着スロットに左巻きコイルを配設し巻き終わり右側銅線をＵ１中性点とし、Ｖ１番コイル巻き始め左側銅線を出力線とし９番、１０番、１１番、１２番から２１番、２２番、２３番、２４番の無吸着スロットに左巻きコイルを配設し巻き終わり右側銅線をＶ２コイル巻き始め左側銅線と結線し３３番、３４番、３５番、３６番から４５番、４６番、４７番、４８番の無吸着スロットに左巻き発電コイルを配設し巻き終わり右側銅線をV３コイル巻き始め銅線と結線し５７番、５８番、５９番、６０番から６９番、７０番、７１番、７２番の無吸着スロットに左巻きコイルを配設し巻き終わり右側銅線をＶ１中性点とし、Ｗ１番コイル巻き始め左側銅線を出力線とし１７番、１８番、１９番、２０番から２９番、３０番、３１番、３２番の無吸着スロットに左巻きコイルを配設し巻き終わり右側銅線をＷ２コイル巻き始め左側銅線と結線し４１番、４２番、４３番、４４番から５３番と５４番、５５番、５６番の無吸着スロットに左巻き発電コイルを配設し巻き終わり右側銅線をＷ３コイル巻き始め銅線と結線し６５番、６６番、６７番、６８番から５番、６番、７番、８番の無吸着スロットに左巻きコイルを配設し巻き終わり右側銅線をＷ１中性点としたこと、ＵＶＷ線の直列配線された出力は、巻き始め銅線と巻き終わり銅線から３か所の単相出力とするか、各巻き始め左側銅線を出力線とし右側巻き終わり銅線を中性点としたスター結線かデルタ結線とした三相出力線とし、出力線は無吸着スロット発電コイルからコイル外に引き出す銅線に漏電防止された少し太い引き出し銅線とし、発電コイルから少し出た位置でコイル銅線と引き出し銅線を圧着端子か半田で結線し、結線部を収縮チューブ、ビニールテープ、ガラス繊維で漏電防止された引き出し銅線をステータヨーク外に作られた操作盤三相２００Ｖ漏電防止スイッチ入力端子まで配線し三相出力端子から電流計から三相２００Ｖ差し込み、２００Ｖから１００Ｖに降圧し１００Ｖ差し込みへと配線された発電機としたこと
【００２５】
記載した各無吸着スロット発電コイルを記載のまま使用するか又は２重巻き、３重巻き、４重巻きとされた発電コイルを分離しコイル中央から出力励磁を消滅させた配線とし、分離は配設された多重巻き無吸着スロット発電コイルを外側コイルと内側コイルに分離し、外側コイルを２コイルとし内側コイルを１コイル、外側コイルを３コイルとし内側コイルを１コイルとするか同数に近い数の外側コイルと内側コイルに分離するとした無吸着スロット発電コイル発電機。
【発明の効果】
【００２６】
扇型磁石ロータと無吸着スロット発電コイルとの組み合わせた発電機とし、低トルクのエンジンまたはモータで発電出来るという利点とし。
【図面の簡単な説明】
【００２７】
【図１】２極ロータと４重巻き無吸着２４スロット発電コイル４５度右上がり斜め展開図
【図２】２極ロータと２相２重巻き無吸着３２スロット発電コイル
【図３】４極ロータと２重巻き無吸着４８スロット発電コイルとU１コイル範囲４５度右上がり斜め展開図
【図４】６極ロータと２重巻き無吸着３６スロット発電コイルとU１コイル範囲４５度右上がり斜め展開図
【図５】６極ロータと４重巻き無吸着７２スロット発電コイル
【図６】６極ロータの中央穴あき扇型磁石と固定金具の配設図
【発明を実施するための形態】
【００２８】
強力な永久磁石を扇型の磁石と成形された扇型磁石を一定の高さと、一定の厚みとされた扇型磁石の同極同士をコイル側に向けロータ各極に配設し、ステータヨーク内側に配設された無吸着スロット発電コイルを斜めに配設した。
【実施例１】
【００２９】
図４は、６極ロータと１番から３６番の無吸着スロット発電コイルを斜めに配設しスター結線の三相出力とした発電機を６極ロータの７，５KWモータをデルタ結線で回転させ、発電機から２００Vを出力させダウントランスで１００Vにし１００Vの消費電力１５Aのコンプレッサーを作動させた時のモータの消費電力は１５A、同回転数でモータを空回転させた消費電力は１０A。
【産業上の利用可能性】
【００３０】
風力発電、水力発電、自動車の発電機、自転車の発電機、工場で駆動しているモータにプーリとプーリベルトで連結またはモータの後側回転軸と直結した発電。
【符号の説明】
【００３１】
１    ステータヨーク
２    無吸着スロット番号
３    中央穴あき扇型磁石
４    T型動力伝達板
５    回転軸に被せたステンレスパイプ
６    回転軸
７    通しボルト穴
８    巻き始め出力銅線  
９    巻き終わり右側銅線の中性点
１０  コイル番号
１１  右上がり斜め４５度無吸着スロット発電コイル
１２  回転軸中心線
１３  ステータヨーク前後に出した無吸着スロットを糸で縛る突起部
１４  U１出力線
１５  U１中性点
１６  V１出力線
１７  V１中性点
１８  W１出力線
１９  W１中性点
２０  U２出力線
２１  U２中性点
２２  V２出力線
２３  V２中性点
２４  W２出力線
２５  W２中心線
２６  前側ベアリング
２７  吸い込み、吐き出しのファン
２８  前側ステンレス円盤とT型動力伝達板の溶接部
２９  反発磁束極
３０  T型動力板の磁石飛び出し防止曲げ部
３１  通しボルトと固定ナット
３２  中央穴あき扇型磁石の高さ
３３  後側ベアリング
３４  T型動力伝達板とステンレスパイプの溶接部
３５  扇型磁石コイル側左右下段とT型動力伝達板の磁石押さえ部
【図１】
2018085872.tif 000003
【図２】
2018085872.tif 000004
【図３】
2018085872.tif 000005
【図４】
2018085872.tif 000006
【図５】
2018085872.tif 000007
【図６】
2018085872.tif 000008
【手続補正書】
【提出日】平成28年12月23日(2016.12.23)
【手続補正１】
【補正対象書類名】明細書
【補正対象項目名】全文
【補正方法】変更
【補正の内容】
【発明の詳細な説明】
【技術分野】
【０００１】
本発明は、発電機に関するものである。
【背景技術】
【０００２】
ステータヨークスロットにロータ極数と同数か所の多重巻き発電コイルかロータ極数の三相分布巻き発電コイルを配設した発電機。
【先行技術文献】
【特許文献】
【０００３】
【特許文献１】特許第４９５１０９９号
【発明の概要】
【発明が解決しようとする課題】
【０００４】
解決しようとする問題点は、発電コイルから負荷側に起電力を出力した時にコイル内に発生する出力励磁を弱磁、または出力励磁を消滅させ低トルクの動力で低速回転とし発電機側を高速回転とした変速機を使用し動力側の燃料または電力消費量を半減させる事が出来ないか。
【課題を解決するための手段】
【０００５】
本発明は、ステータヨークを円筒形としロータが挿入される内円周も円形としスロットの無いドーナッツ型に切断した薄い電磁鋼板を積層されたステータヨーク、鉄スロット無しとされたステータヨーク内円周に鉄のスロットに代わる無吸着スロットを配設されておるステータヨークとし、無吸着スロットは磁石に吸着しないステンレス、アルミニウム、アクリル板、塩ビ樹脂、ガラス繊維、ゴム、ビニールホース、スロットシートを無吸着スロットとし、無吸着スロットの薄い一枚の部材をステータヨーク長さより少し長い寸法で切断された無吸着スロットとし、Ｕの字型、コの字型、丸パイプ型、楕円形に加工した無吸着スロットの通電する部材にはスロットシートを配設し、通電しない部材にはスロットシートを配設しないとした無吸着スロットをステータヨーク内円周に開口部をロータ側に向け固定された無吸着スロットに発電コイルを挿入し無吸着スロット発電コイルとし、無吸着スロットの固定は溶接止め、ビス止め、樹脂系ゴム糊で固定し、更にステータヨーク前後に作られた突起部とステータヨークから出した無吸着スロット発電コイルを糸、結束バンド、融着テープで固定されておる無吸着スロット発電コイルとし、また無吸着スロット開口部の銅線飛び出し防止とし開口部に被せたスロットシートと無吸着スロットを樹脂系ゴム糊、熱溶融接着材のビニール樹脂で接着された無吸着スロットとし、無吸着スロット発電コイルのステータヨーク配設は、発電コイルと２極ロータ、４極ロータ、６極ロータ、６極ロータ型３極ロータとしたロータ極数と同数か所の多重巻き発電コイルとするかロータ極数の三相発電コイルを配設とするか２相の発電コイルを配設とするか１相の発電コイルを配設とし、ステータヨークに配設された無吸着スロット発電コイルは、水平に据え置かれた回転軸ロータに対して無吸着スロット発電コイルを回転軸ロータの回転方向に平行に並べられた無吸着スロット発電とするか、回転軸ロータに対して斜めとし回転方向に斜め平行に並べられた無吸着スロット発電コイルとし配設角度を１０度から４５度とするか可能な限り斜めとした角度に配設された無吸着スロット発電コイルとするか配設された無吸着スロット発電コイルを分離コイルとし、配設された無吸着スロット発電コイルか分離コイルをロータ磁束がステータヨーク内円周を吸引しながら回転と共に発電コイルを横切り、又は、発電コイルを斜めに横切り起電力を出力としたこと、平行に配設された無吸着スロット発電コイルの利点は、製作が簡単であり出力励磁の発生する位置からロータを遠く離した位置として出力励磁とロータ磁束の引き合う磁力が弱められておる平行無吸着スロット発電コイルとしたこと、斜め平行に配設された無吸着スロット発電コイルの利点は、斜め無吸着スロット発電コイル内に出現した斜め出力励磁と平行なロータ極との磁束が回転と共に、斜めと、平行の交差する小さい範囲で磁束が引き合い低速回転で出力励磁とロータ磁束とを引き離す事が出来るとし、また細長い２枚の永久磁石が隙間をあけて平行に吸引している状態の永久磁石を引き離すのに１０の力が必要とした時に、細長い２枚の磁石の片方を４５度から５０度に傾けると５の力で引き離せるとしたことを利用した斜め発電コイルの配設としたこと、無吸着スロット発電コイルの出力配線は、発電コイルを個々に単相出力とするか、ロータの同極が同時に通過する発電コイル同士を直列配線しコイル巻き始め銅線を出力線としコイル巻き終わり銅線を中性点とした出力線と中性点から単相出力とするか、三相無吸着スロット発電コイルの巻き終わり銅線を中性点とし三本をスター結線かデルタ結線とし巻き始め出力線から三相出力とした配線としたこと、分離コイルは、無吸着スロット発電コイルを外側コイルと内側コイルとに分離し発電コイルを二系列とした分離コイルの利点は、発電コイルを外側コイルと内側コイルに分離したコイルに同時に交流起電力を同方向に出力させると無吸着スロット発電コイル内のロータ側表面から出力励磁が単相出力の中性点が無い場合のみ消滅するとしたことを利用した分離コイルとし、消滅した出力励磁は、ステータヨーク内部で外側コイルと内側コイルの磁力線が吸引し合いステータヨーク内部深くに潜み込ませた出力励磁としたが、ロータの反発磁束がステータヨーク内部に潜み込んだ出力励磁に届いてしまい起電力を出力中に少しロータの回転が重くなるとして次の様に配設または施工されたのも有るとした発電コイルとロータは、ステータヨークの幅を無吸着スロット長さより１、５倍から２倍に広げたステータヨークの幅とするか、無吸着スロットをロータ側に長さを長くしコイル巻き数を増しロータの直径を小さくする為に扇型磁石の高さを短くされておロータ扇型磁石のコイル側形状を弧円から直線状とされておるロータとするかとしたステータヨークの出力励磁が弱磁した範囲にロータ外側が位置する様に間隔調整がされたロータも有るとして使用されたロータを中央穴あき扇型磁石ロータとしたネオジム磁石を使用したロータとしたこと、ステータヨークに配設されておる各無吸着スロット発電コイルの渡り配線をコイルとコイルの中間で結線とするかコイルの巻き始めから他の連結するコイル巻終わりまで連続した結合部の無いコイルの直列配線とし、またステータヨーク外に銅線を引き出す引き出し銅線は、発電コイルから少し出た位置でコイル銅線と少し太い漏電防止された引き出し銅線を結線し、結線部を収縮チュウブ、ビニールテープ、融着テープ、ガラス繊維で漏電防止した引き出し銅線を発電機の脇または後側蓋に配設した操作盤の単相か三相漏電防止機の入力端子まで配線し出力端子から整流し直流と交流として電圧計から各出力端子、または差し込み部に配線されておるとした発電機は、発電機ケース無しとするかケース有り発電機とした無吸着スロット発電コイル発電機としたこと
【０００６】
明細書の読み方とし、回転軸の動力伝達側を発電機、ステータヨーク、ロータ、の前側とし反対方向を後側、ステータヨークのロータ側を内側としケース側を外側として内側と外側の長さを幅としたこと、ステータヨークの積層方向を積層長さとし、ステータヨーク内側に配設され無吸着スロットの１番はどこの位置を１番として良いとした１番スロットからの右回り通し番号とし、無吸着スロット発電コイルの左右は回転軸方向から見てコイルの左側コイル銅線と右側コイル銅線とし、多重巻き無吸着スロット発電コイル又は外側コイルと内側コイルとし、無吸着スロットの高さはステータヨーク内側からロータに接蝕しない範囲を高さとし、多重巻き発電コイルは配設中心位置を角度で示した中心位置から左右に幅とした広さのコイル、ゼロ度位置はステータヨーク内側の無吸着スロットのどの位置でも良い、無吸着スロット発電コイルの斜め平行とした配設は、前側ステータヨークから後側ステータヨークまで水平に据え置かれ回転軸に対して１０度から４５度とするか可能な限り斜めとした配設とし、可能な限り斜めとは４５度を超える斜めとし、斜め配設はステータヨーク内円周にステータヨーク前側から右上がり斜め、右下がり斜めとした斜め平行に並べられた無吸着スロット発電コイル、多重巻き発電コイルは１番、２番、３番、から６番、７番、８番としたスロットに一番外側コイルを１番と８番のスロットに配設、中間コイルを２番と７番のスロットに配設、一番内側コイルを３番と６番のスロットに配設された３重巻き発電コイルの場合とし、発電コイルの出力線を左側銅線と統一し理解しやすく記載したが、配線を反対に見ると右側コイル銅線を出力線としたコイル配線も有るとしたこと、また定格出力を安定させる為にスロット数を増した多重巻き発電コイルとし余裕を持って一定の出力とし、ロータ極を発電機の前側から見て右回りで１番極から６番極とし、反発磁束とはロータ各極に同極磁石を数枚から数十枚を配設し反発する同極磁石をボルトとナットで締めて密着とするか少し間隔を取り固定した時にコイル側に盛り上げた磁束のこと、発電機の固定脚側を下とし反対側を上とし、また発電機を説明するのに困難とし組立て方や作業の方法などを一部記載としたこと
【０００７】
ステータヨークは、外径を円筒形とし内径も円形としたドーナッツ型に切断した薄板積層材を電磁鋼板材のステータヨークとするか薄い軟鉄材を使用したステータヨーク、またはドーナッツ型に切断した電磁鋼板の何枚かに一枚を軟鉄とし混合配設されたステータヨークとし、ステータヨーク強度を保つ為の内径からステータヨーク外径の幅とした長さを無吸着スロットのロータ側に向けた高さと同じ長さのステータヨーク幅の長さとするか、無吸着スロット長さより長いステータヨーク幅としてステータヨークの強度不足にならない様にとし、ステータヨーク内径はロータ外径と無吸着スロット高さ寸法を足した直径の長さで円形に切断されたステータヨーク内径として切断された何十枚かの薄板を重ね合わせたステータヨークとし、ステータヨークの固定は、ステータヨーク外周側を数か所とステータヨーク内側円形部数か所を積層方向に一か所に一本の連続された溶接で固定されたステータヨークとし、ステータヨークの薄板を多数枚積層され長いステータヨークの方が銅線を長く配設し負荷側に出力する起電力が安定するとしたステータヨーク内側に無吸着スロット発電コイルを配設した後にステータヨーク全体を漏電防止のワニスが塗られておるステータヨークとするかワニスが塗られていない切断加工したままのステータヨークとし、ステータヨーク内径に配設された無吸着スロット発電コイルのロータ側高さをロータに接触しない高さとしたこと
【０００８】
無吸着スロットは、磁力に吸着しない部材で鉄スロットの変わりとしコイル銅線を定位置にまとめる為に配設されたスロットとし、無吸着スロットの部材をステンレス、アルミニウム、塩ビ樹脂、ガラス繊維、アクリル板、ビニール、プラスチックの部材でスロットをＵ型、丸形、コの字型、楕円型に加工しロータ側に銅線挿入口を向け固定された無吸着スロットとし、無吸着スロットの固定は、樹脂系ゴム糊で無吸着スロットをステータヨーク内径に接着し固定とするか、ステータヨーク内径に丸溝か四角溝を加工してあり無吸着スロットのステータヨーク側にも丸突起部か四角突起部が作られており、無吸着スロットの突起部がステータヨーク内径の丸溝か四角溝に挿入しロータ側に抜けない様に固定されておる無吸着スロットとしたこと、無吸着スロットの通電する部材にはスロットシートを無吸着スロットに挿入するが通電しない部材にはスロットシートを挿入しないとし、また無吸着スロットの銅線挿入口にはコイル配設後に銅線飛び出し防止のシートを無吸着スロットに差し込むとするか、飛び出し防止シートを差し込んだ後に樹脂系ゴム糊か熱溶融接着材のビニール樹脂で飛び出し防止シートと無吸着スロットを接着するとしたこと、丸棒突起部は、ステータヨーク前後幅方向の中間に小さな穴を奇数番号の無吸着スロット位置に穴を開けており、穴には鉄棒、アルミ棒、樹脂棒、木の棒、竹の棒、長ボルトが差し込まれており配設された無吸着スロット発電コイルのステータヨークから出たコイルエンドの無吸着スロット部と突起部の差し込み棒とを結束バンド、糸、融着テープでステータヨークの前側と後側から出した無吸着スロット発電コイルの両側を固定とし、更に無吸着スロットの中間部とステータヨークの接している部分を樹脂系ゴム糊で固定されておる無吸着スロットとしたこと、ガラス繊維は、コイルを一定の巻き数で巻き完成したコイルのステータヨーク長さ範囲の左右銅線束に銅線保護用ビニールテープを巻き付けてからガラス繊維を巻き付け、銅線束をロータ方向に楕円型とした成形後にポリエステル樹脂に硬化剤を混ぜて楕円形にポリエステル樹脂を塗り固めた無吸着スロット発電コイルとしたこと、アクリル樹脂無吸着スロットはステータヨーク内側に無吸着スロットの高さの型にアクリル樹脂を流し込み硬化したらアクリル樹脂にスロットを機械加工とし、または無吸着スロットを先に配置してからアクリル樹脂を流し込み無吸着スロット固定した後にロータ側に開口部を加工された無吸着スロットのステータヨークとしたこと
【０００９】
多重巻き無吸着スロット発電コイルの配設位置をステータヨーク内径のどこの位置をゼロ度位置としも良い、ゼロ度位置からの多重巻き無吸着スロット発電コイルの配設を２極ロータは、ゼロ度位置と１８０度位置とし、２極ロータと三か所に多重巻き無吸着スロット発電コイル配設は、ゼロ度位置、１２０度位置、２４０度位置とし、４極ロータと四か所に多重巻き無吸着スロット発電コイルの配設は、ゼロ度位置、９０度位置、１８０度位置、２７０度位置とし、６極ロータと３か所の多重巻き無吸着スロット発電コイルの配設は、ゼロ度位置、１２０度位置、２４０度位置、とした中心位置から左右に幅とした多重巻き無吸着スロット発電コイルを配設とし、また２極ロータ、４極ロータ、６極ロータとステータヨークに分布巻き無吸着スロット発電コイル三相配設としたこと、無吸着スロットに配設された発電コイル銅線の本数は、一本で巻いたコイル、二本で巻いたコイル、三本で巻いたコイル、四本で巻いたコイル、数本を束にして巻いた無吸着スロット発電コイルをステータヨーク内側に平行とするか斜めに配設とし、平行配設は水平に据え置かれた回転軸ロータに対して平行にロータ回転方向に並べられた無吸着スロット発電コイルとし、斜め配設は水平に据え置かれた回転軸ロータに対して前側ステータヨークから後側ステータヨークに１０度から４５度とするか可能な限り斜めとした角度に斜め右下がり配設とするか斜め右上がり配設としロータの回転方向に斜め平行に並べられた無吸着スロットの多重巻き無吸着スロット発電コイルか三相発電コイルとし、配設された無吸着スロットの１番発電コイルから他の発電コイルに直列配線は、コイルからコイルに渡り配線を結線とするかコイル巻き始めからコイル巻き終わりまで結線部なしとした直列配線とし、またコイル渡り銅線、コイル出力線と中性点に結線する引き出し銅線を付けるコイル側をステータヨーク前側とするかステータヨーク後側としたこと
【００１０】
多重巻き発電コイルは、コイル幅を一定に保ったコイル配設とコイル幅を段々と広くされたコイル配設とした一例を記載するとし、一か所の無吸着スロットを１番から１０番とした通し番号の無吸着スロットにコイル幅を一定の幅とした多重巻き発電コイル配設は、無吸着スロットの１番から７番、２番から８番、３番から９番、４番から１０番の四重巻き無吸着スロット発電コイル配設位置関係とし、また一か所の多重巻き発電コイルの外側コイルで内側コイルを囲む様にコイル幅を段々と広げる配設は、無吸着スロットの４番から７番、３番から８番、２番から９番、１番から１０番とした四重巻き無吸着スロット発電コイル配設の位置関係とし、また配設した無吸着スロット発電コイルを２系列に分離し出力励磁を消滅する内側コイルと外側コイルとする場合は４番から７番と３番から８番のコイルを直列配線し同方向巻き内側コイルとし、２番から９番と１番から１０番のコイルを直列配線し同方向巻き外側コイルとした２系列の２重巻き無吸着スロット発電コイルとし外側コイルと内側コイルを同方向巻きコイルとしたこと
【００１１】
中央穴あき扇型磁石を回転軸に固定する金具をステンレスパイプ、前側円盤、T型動力伝達板、通しボルトとナットで固定された永久磁石ロータとし、回転軸にロータ長さより長いステンレスパイプを被せパイプの前後を回転軸に点溶接でパイプを固定し、前側円盤の中央に作られた穴に回転軸パイプを挿入しロータの前側円盤位置で垂直に前側円盤と回転軸パイプとを溶接固定とし、固定された前側円盤をロータの極数に分割し分割部に極数分のＴ型動力伝達板が配設されＴ型動力伝達板と回転軸パイプと前側円盤が接する部分をタップ溶接し永久磁石ロータの固定金具とし、また回転軸に前側ベアリングと吸い込み、吐き出しとした回転方向により変わる角度の付いたファンとロータと後側ベアリングとした順番に配設された回転軸とし、ロータの各極に配設する永久磁石を磁力の強い永久磁石を使用するかネオジム永久磁石を使用し、扇型の中央穴あき扇型磁石としてコイル側に弧円とし回転軸側も弧円とするか直線状の扇型磁石とするか、中央穴あき扇型磁石のコイル側を直線状とした平な扇型磁石のコイル側とした中央穴あき扇型磁石の磁極をコイル側と回転軸側に着磁し、中央穴あき扇型磁石をロータに配設は、ロータ極数に分割された前側円盤分割部の一か所の分割範囲を扇型磁石の回転方向の長さとし、回転軸の長さ方向に扇型磁石の厚みとし、回転軸から少し隙間を開けた位置からコイル側に磁石の高さとし、高さが高いほど反発磁束がコイル側に押し出される磁力が遠くまで届きステータヨーク内に隠れた出力励磁と吸引する為に扇型磁石の高さを低く制限したロータも有るとしたこと、また扇型磁石の中央に穴が開けられた扇型磁石のコイル側左右端に下段が施されておる一枚の中央穴あき扇型磁石とし、中央穴あき扇型磁石の中央穴はボルト通し穴とし、扇型磁石左右に作られた下段は前側円盤に極数分配設された左右のＴ型動力伝達板のＴ型磁石押さえ部が入る下段とし、前側円盤のロータ極数に分割した位置に固定されたＴ型動力伝達板に両側を押さえられた中央穴あき扇型磁石の同極をコイル側に向け何枚も一定の間隔で固定されロータ１番極とし、２極ロータをＮ極とＳ極、Ｎ極とＮ極、Ｓ極とＳ極としたロータ、４極ロータをＮ極とＳ極を交互に配設したロータ、６極ロータをＮ極とＳ極を交互に配設したロータとどちらかの極を取り除いた６極型３極ロータとし、ロータ各極は扇型磁石の同極同士の反発磁束をコイル側に盛り上げた磁束でステータヨークを吸引させる様に扇型磁石を前側円盤のＴ型動力伝達板とＴ型動力伝達板の間に配設され磁石押さえ部で固定された中央穴あき扇型磁石を、前側円盤の外側から中央穴あき扇型磁石数枚の中央の穴に通したボルトで密着とするか少し隙間を開けた位置にナットで締めて固定とし、またナット固定位置と同場所のＴ型動力板磁石押さえ部を回転軸側に９０度に曲げ挿入した扇型磁石が飛び出ない様に９０度曲げ部とナットで固定されておるロータとし、ロータのＮ極とＳ極、またはＮ極とＮ極、Ｓ極とＳ極のロータとも反発し合う磁束はステータヨークを通り抜けてしまい発電機ケースまで到達する程の反発磁束でケースに渦電流を発生させてケースが発熱するとしてケース無し発電機とし、またはケース有り発電機のケースは、ロータ真上の��ースに渦電流が大きく発生しない様にアルミ材、厚い鉄を使用しないで、薄い鉄で凹凸や細長い穴を作り凹み部の何点かでステータヨークの外側を押さえ固定としたこと、ロータ極に使用した磁石をネオジム磁石としたが永久磁石を中央穴あき扇型とし回転軸側とコイル側に磁極を着磁させて反発磁束としたロータとすればどんな永久磁石でもロータとし使用が可能とし、またロータをＮ極ロータ、Ｓ極ロータとされたロータの起電力を整流するとプラスとマイナスに整流されＮ極とＳ極のロータと起電力は変わりないとし、ただ電圧を上昇させるのにはＮ極とＳ極を交互に配設したロータの方が２極ロータ以外は低速で電圧を上昇させる事が出来るとしたこと、回転軸のロータをＮ極とＮ極、Ｓ極とＳ極とされたロータの回転軸をステンレスとするか磁石に弱く吸引するステンレスとし、また使用されているベアリングをステンレス製とし回転軸が磁束で磁化されベアリングが吸着し摩擦で発熱するのを防ぐとしたこと
【００１２】
ケース無し発電機は、ステータヨークを溶接で固定されたステータヨークを使用し、前後蓋の蓋中心にベアリングが入るベアリングケースが付けられておる前蓋と後蓋の内側にコイルエンドを保護する縁が付いており、前後蓋と縁には数か所の穴が開けられており穴は空冷空気を通す穴とし、また縁のステータヨーク側に内側段を数ミリ旋盤加工し嵌まり込み部としてステータヨークを前蓋と後蓋の嵌まり込み部で挟み込み回転軸の中心を保ちながら前後蓋縁の外側同位置に付けられたボルト穴材に長ボルトを前蓋から後蓋に通してナットで締めて蓋とステータヨークを固定とし、または前後蓋に付けられたボルト穴材のどちらかの穴にネジ山を作り穴材ナットとしボルトで締めて蓋とステータヨークを固定としたケースなし発電機とし、ケース付発電機は、ケースを薄い鉄材とし、ステータヨークを固定する位置のケースをプレス加工で回転軸長さ方向に細長く出っ張り部を内側に向け何か所か加工した出っ張り部の内側でステータヨークを固定するとした出っ張り部の長さをステータヨーク長さより長くし通気性を良くしたこと、出っ張り部以外のロータ真上ケース部分に細長い穴を何か所か開け空冷と渦電流を小さくするとしたケースとし、前後蓋の内側にベアリングケースと短い縁が付けられており、前後蓋縁とケースの両端に段を作り、ケースは外側段とし前後蓋に内側段とした嵌め込み部でケースと前後蓋を嵌め込み回転軸中心位置を固定し、前後蓋縁の内側に何か所かのボルト穴を開けボルトを蓋外側から前側蓋縁内側とケース出っ張り部脇を通し後側蓋縁の外側にボルトを出しナットで締めて前後蓋とケースを固定としたこと、ケース無し発電機の固定脚を前後蓋の縁に合計で４脚を平行と水平に付けられた脚とし、脚を付けた側を発電機の下側として後蓋縁の上側に引き出し銅線を出す穴を開けたケース無し発電機とし、またケース付発電機の脚をケース両端の外側にケース外周から少し出した位置で脚の固定ボルト穴材を平行と水平位置になる様に配設し溶接固定され、脚付ケースを平面に置いた時に数ミリの隙間がケース下に出来る様にした脚固定とし、脚固定されたケース側を下側とし、後蓋の上側に引き出し銅線を出す穴を開けたケース付発電機としたこと、またプレス加工しない場合は、長方形角パイプの短い方を縦方向に長い方をプレス位置に溶接固定して通気性を良くしたケースとし、前後蓋を鉄材とするかアルミ材とした発電機をエンジン、モータで駆動させるのに駆動機に発電機を直結し発電するか、駆動機と変速機で発電機を結合し発電するとしてロータ極数が多い発電機は直結とし、ロータ極数が少ない発電機は駆動機と変速機で発電機を結合し回転を高速とし起電力の電圧を上昇させるとしたこと
【００１３】
無吸着スロット発電コイルを二系列とし分離するコイル数が偶数個の場合は多重巻き発電コイルを外側コイルと内側コイルとに半数に分離したコイル配線とし、奇数個の場合は多重巻き発電コイルの外側コイルを２個とし内側コイルを１個とした二対一の割合としたコイルの分け方とするか、外側コイルを１個とし内側コイルを２個とした二対一とした割合の２系列とした配線も良い、また分布巻き三相無吸着スロット発電コイルは、８個のスロットを使用した四重巻き無吸着スロット発電コイルの外側コイルを２個のコイルとし内側コイルを２個のコイルと分離した配線とし、４個のスロットを使用した二重巻き無吸着スロット発電コイルの外側コイルを１個のコイル、内側コイルを１個のコイルとして二系列に分離された無吸着スロット発電コイル配設としたこと
【００１４】
二系列分離コイルの利点は、一か所の四多重巻き発電コイルを二重巻き外側コイルを右巻きコイルとし直列配線、二重巻き内側コイルを右巻きコイルとし直列配線とされた同方向巻きコイルの二系列に分離された外側コイルと内側コイルから同時に単相出力させると、分離された２個のコイル内に発生する出力励磁がステータヨーク内部で吸引し合いステータヨークの無吸着スロット発電コイル内のロータ側表面から出力励磁が消滅し、鉄棒をコイル内とコイル近辺に接触しても磁力に吸引されないとしたことを利用した分離コイルとし出力励磁が表面からステータヨークの内部に浸入し表面から出力励磁が消滅としたこと、ロータ極の回転方向の長さを内側コイル幅内に入る様に短い中央穴あき扇型磁石の回転方向の長さとするか、ロータ１極の回転方向長さより広い内側コイル配設幅としたこと、一例を記載とし、４極ロータの無吸着スロット数を１番から４８番とし、ロータの１番極の長さは、ステータヨーク無吸着スロット数の四分の一とした１番から１２番の無吸着スロット数の長さとしたロータ１番極ロータと二系列とし分離された無吸着スロット発電コイルの配設は、外側コイルを１番と２番の無吸着スロットから１５番と１６番の無吸着スロットに二重巻き発電コイルを配設し、内側コイルを３番と４番の無吸着スロットから１３番と１４番の無吸着スロットに二重巻き発電コイルを配設とした幅のコイルとしたこと
【００１５】
二系列とし分離された無吸着スロット発電コイルの出力配線は、外側無吸着スロット発電コイルの左右銅線から単相出力と内側無吸着スロット発電コイルの左右銅線から単相出力とし、また外側と内側の同方向右側銅線同士を結線し左側銅線同士を結線し単相出力線を４本の単相出力線から２本の単相出力線とすることも良いとしたこと、また二系列とし分離された分布巻き三相無吸着スロット発電コイルは、Ｕ線、Ｖ線、Ｗ線とした三相線の外側コイルを直列配線し内側コイルも直列配線とした同方向巻きコイルの各線から単相出力線を６本とするか、同線の同方向単相出力線を結線し３本の単相出力線としても良い、また３本の単相出力線の同方向出力線を中性点とし３本を結線しスター結線の三相出力とすると起電力の電圧も上昇して良いが中性点を結線したコイルに出力励磁が発生する為少し回転に負荷を感じるが全体的に低トルクの動力で回転するので問題なしとしたスター結線の発電機とするか、デルタ結線された三相出力線は出力励磁が発生する為に回転に負荷を感じ又起電力の電圧が少し低いが回転を少し上げて対応するとした発電機とし、また外側コイルをスター結線とし内側コイルをデルタ結線としても良いが、基本的に単相出力とした二系列の分離された無吸着スロット発電コイルとし、分離コイルの利点は出力励磁を消滅すること、コイル熱、ステータヨークの発熱が定格内の出力なら１時間発電機を運転しても少し熱を感じる程度としたこと
【００１６】
２極ロータと多重巻き発電コイルの配設は（図１）、２極ロータをＮ極とＳ極とするか、Ｎ極とＮ極のロータかＳ極とＳ極のロータとし、無吸着スロットを回転軸に対して平行に配設された無吸着スロットとするか、斜めに配設された無吸着スロットとした無吸着スロットに発電コイルを３重巻き、４重巻き、５重巻き、６重巻きとした多重巻き発電コイルとし、ロータ２極が同時に通過する位置に配設された多重巻き発電コイルとし、配設位置が同じとして１番から２４番の無吸着スロットに４重左巻き発電コイルの配設を記載とし、Ｕ１番発電コイル巻き始め左側銅線を出力線とし２番と３番と４番と５番から８番と９番と１０番と１１番の無吸着スロットに左巻き発電コイルを配設し巻き終わり右側銅線を中性点とし、Ｕ２番発電コイル巻き始め左側銅線出力線とし１４番と１５番と１６番と１７番から２０番と２１番と２２番と２３番の無吸着スロットに左巻き発電コイルを配設し巻き終わり右側銅線を中性点とし、また使用していない番号部は無吸着スロットを配設しないとし、無吸着スロット発電コイルの配線は、ロータ極をＮ極とＳ極とされたロータと無吸着スロット発電コイルの配線は、個々に４重巻き発電コイルから２か所の単相出力とするか、Ｕ１番発電コイルの中性点とＵ２番発電コイルの中性点を結線し並列配線としU１番とU２番の各出力線から単相出力とし、ロータ極をＮ極とＮ極、またはＳ極とＳ極とされたロータと無吸着スロット発電コイルの配線は、個々に４重巻き発電コイルから２か所の単相出力とするかＵ１番発電コイルの中性点とＵ２番発電コイルの出力線を結線し直列配線としＵ１番出力線とＵ２中性点から単相出力を一か所としたこと、無吸着スロット発電コイルから少し出た位置の銅線に漏電防止された少し太い引き出し銅線を付け、引き出し銅線をステータヨーク外に作られた操作盤に配線し単相漏電防止スイッチから電流計から１００Ｖ差し込みへと配線された発電機とし、またエンジンを動力とした発電機の操作盤にエンジンＯＮ、ＯＦＦスイッチ、水温計、オイル計、稼働時間積算メータを付けた操作盤としたとたこと
【００１７】
２極ロータと２相無吸着スロット発電コイル（図２）が配設された無吸着スロットを回転軸に対して平行に配設された無吸着スロットとするか、斜めに配設された無吸着スロットとし、右回り通し番号の１番から３２番の無吸着スロットに２重巻き発電コイルの配設は、Ｕ１番コイルの左側巻き始め銅線を出力線とし１番と２番から７番と８番の無吸着スロットに左巻きコイルを配設し巻き終わり右側銅線を中性点、Ｕ２番コイル左側巻き始め銅線を出力線とし９番と１０番から１５番と１６番の無吸着スロットに左巻きコイルを配設し巻き終わり右側銅線を中性点、Ｕ３番コイル巻き始め銅線を出力線とし１７番と１８番から２３番と２４番の無吸着スロットに左巻き発電コイルを配設し右側巻き終わり銅線を中性点、Ｕ４番コイル巻き始め銅線を出力線とし２５番と２６番から３１番と３２番の無吸着スロットに左巻き発電コイルを配設し右側巻き終わり銅線を中性点、Ｖ１番コイル左側巻き始め銅線を出力線とし５番と６番から１１番と１２番の無吸着スロットに左巻きコイルを配設し右側巻き終わり銅線を中性点、Ｖ２番コイル左側巻き始め銅線を出力線とし１３番と１４番から１９番と２０番の無吸着スロットに左巻きコイルを配設し右側巻き終わり銅線を中性点、Ｖ３番コイル左側巻き始め銅線を出力線とし２１番と２２番から２７番と２８番の無吸着スロットに左巻きコイルを配設し巻き終わり右側銅線を中性点、Ｖ４番コイル左側巻き始め銅線を出力線とし２９番と３０番から３番と４番の無吸着スロットに左巻きコイルを配設し右側巻き終わり銅線を中性点としたこと、この配線にロータ極をＮ極とＳ極とされた発電コイル配線は、個々に２重巻き発電コイルの出力線と中性点から単相出力とするか、Ｕ発電コイルとV発電コイルの同時に通過するU１コイルとU３コイル、U２コイルとU４コイル、V１コイルとV３コイル、V２コイルとV４コイルの各中性点同士を結線し並列配線とし各出力線から単相出力を４か所の出力線とし、ロータ極をＮ極とＮ極、またはＳ極とＳ極とされた発電コイル配線は、個々に２重巻き発電コイルから単相出力とするか、同時に通過するコイルの中性点と出力線を直列配線し各出力線と中性点から４か所の単相出力とするか、直列配線されたＵコイルの１番、３番とUコイルの２番、４番、Vコイルの１番と３番、２番と４番の各中性点を結線し並列配線とし発電電圧を上昇させたＵコイルとＶコイル２か所の単相出力とし、また２か所の単相出力とされたUコイルとVコイルの同方向に出された出力線を結線し１か所の単相出力としたこと、各出力線は無吸着スロット発電コイルの銅線に漏電防止された引き出し銅線を付け、引き出し銅線をステータヨーク外に作られた操作盤に配設された単相漏電防止スイッチ入力端子まで配線し出力端子から電流計、１００Ｖ差し込みへと配線された発電機とし、またこの配線は４極ロータの２相無吸着スロット発電コイル発電機にも使用できるとしたこと
【００１８】
２極ロータと三相無吸着スロット発電コイルが配設された無吸着スロットを回転軸に対して平行に配設された無吸着スロットとするか、斜めに配設された無吸着スロットとし、右回り通し番号の１番から３６番の無吸着スロットに３重巻き発電コイルの配設は、Ｕ１番コイル巻き始め左側銅線を出力線とし１番と２番と３番から１６番と１７番と１８番の無吸着スロットに左巻きコイルを配設し巻き終わり右側銅線を中性点、Ｕ２番コイル巻き始め左側銅線を出力線とし１９番と２０番と２１番から３４番と３５番と３６番の無吸着スロットに左巻きコイルを配設し巻き終わり右側銅線を中性点、Ｖ１番コイル巻き始め左側銅線を出力線とし１３番と１４番と１５番から２８番と２９番と３０番の無吸着スロットに左巻きコイルを配設し巻き終わり右側銅線を中性点、Ｖ２番コイル巻き始め左側銅線を出力線とし３１番と３２番と３３番から１０番と１１番と１２番の無吸着スロットに左巻きコイルを配設し巻き終わり右側銅線を中性点、Ｗ１番コイル巻き始め左側銅線を出力線とし２５番と２６番と２７番から４番と５番と６番の無吸着スロットに左巻きコイルを配設し巻き終わり右側銅線を中性点、Ｗ２番コイル巻き始め左側銅線を出力線とし７番と８番と９番から２２番と２３番と２４番の無吸着スロットに左巻きコイルを配設し巻き終わり右側銅線を中性点としたこと、ロータ極をＮ極とＳ極とされたステータヨークのコイル配線は、個々に３重巻き発電コイルから単相出力とするか、ＵＶＷ各三相発電コイルの同時に通過するコイルの各１番と２番のコイル中性点を結線し並列配線の単相出力を３か所とするか、並列配線されたＵＶＷ線の中性点三本を束にしてステー結線とした三相出力としたこと、ロータ極をＮ極とＮ極、またはＳ極とＳ極とされたステータヨークのコイル配線は、個々に３重巻き発電コイルから単相出力とするか、同時に通過するコイルの中性点と出力線を直列配線としＵＶＷ各出力線と中性点から単相出力とするか、直列配線されたＵＶＷ各コイルの中性点三本を束にしてステー結線またはデルタ結線とし、出力線は無吸着スロット発電コイルから少し出たステータヨーク後側位置で漏電防止された引き出し銅線を付け、引き出し銅線をステータヨーク外に作られた操作盤に配設された単相漏電防止スイッチ入力端子まで配線し出力端子から電流計、１００Ｖ差し込みへと配線された発電機としたこと
【００１９】
４極ロータと三相２重巻き発電コイル（図３）を配設する無吸着スロットを回転軸に対して平行に配設された無吸着スロットとするか、ステータヨーク前側から斜め右上りに配設された無吸着スロットとし、右回り通し番号の１番から２４番の無吸着スロットの１重巻き発電コイルと１番から４８番の無吸着スロットに２重巻き発電コイルが有りコイル配設が同じとして２重巻き発電コイル直列配線の配設は、Ｕ１番コイル巻き始め左側銅線を出力線とし１番と２番から１１番と１２番の無吸着スロットに左巻き発電コイルを配設し巻き終わり右側銅線をＵ３番コイル巻き始め左側銅線と結線し２５番と２６番から３５番と３６番の無吸着スロットに左巻きコイルを配設し巻き終わり右側銅線をＵ１中性点とし、Ｕ２番コイル巻き始め左側銅線を出力線とし１３番と１４番から２３番と２４番の無吸着スロットに左巻き発電コイルを配設し巻き終わり右側銅線をＵ４番コイル巻き始め左側銅線と結線し３７番と３８番から４７番と４８番の無吸着スロットに左巻きコイルを配設し巻き終わり右側銅線をＵ２中性点とし、Ｖ１番コイル巻き始め左側銅線を出力線とし９番と１０番から１９番と２０番の無吸着スロットに左巻き発電コイルを配設し巻き終わり右側銅線をＶ３番コイル巻き始め左側銅線と結線し３３番と３４番から４３番と４４番の無吸着スロットに左巻きコイルを配設し巻き終わり右側銅線をＶ１中性点とし、Ｖ２番コイル巻き始め左側銅線を出力線とし２１番と２２番から３１番と３２番の無吸着スロットに左巻き発電コイルを配設し巻き終わり右側銅線をＶ４番コイル巻き始め左側銅線と結線し４５番と４６番から７番と８番の無吸着スロットに左巻きコイルを配設し巻き終わり右側銅線をＶ２中性点とし、Ｗ１番コイル巻き始め左側銅線を出力線とし１７番と１８番から２７番と２８番の無吸着スロットに左巻き発電コイルを配設し巻き終わり右側銅線をＷ３番コイル巻き始め左側銅線と結線し４１番と４２番から３番と４番の無吸着スロットに左巻きコイルを配設し巻き終わり右側銅線をＷ１中性点とし、Ｗ２番コイル巻き始め左側銅線を出力線とし２９番と３０番から３９番と４０番の無吸着スロットに左巻き発電コイルを配設し巻き終わり右側銅線をＷ４番コイル巻き始め左側銅線と結線し５番と６番から１５番と１６番の無吸着スロットに左巻きコイルを配設し巻き終わり右側銅線をＷ２中性点としたこと、ＵＶＷ各線の出力配線は、各直列配線されたておる出力線と巻き終わり中性点から６か所の単相出力とするか、ＵＶＷ各相の１番と２番の直列配線された中性点を結線し並列配線とし各左側巻き始め出力銅線から３か所の単相出力とするか、３か所の単相出力とされておる同方向のコイル出力銅線を中性点とし３本を束に結線し、反対側の同方向の出力線から出力するとしたスター結線、またはデルタ結線とし、出力線は無吸着スロット発電コイルから少し出した所で引き出し銅線と結線し、引き出し銅線はステータヨーク外に引き出す銅線として漏電防止された少し太い引き出し銅線とし、引き出し銅線をステータヨーク外に作られた操作盤に配設された三相漏電防止スイッチ入力端子まで配線し出力端子から電流計、１００Ｖ差し込み、三相２００V端子へと配線された発電機としたこと
【００２０】
４極ロータと三相３重巻き発電コイルを配設する無吸着スロットを回転軸に対して平行に配設された無吸着スロットとするか、斜めに配設された無吸着スロットを右回り通し番号の１番から３６番の無吸着スロットに３重巻き無吸着スロット発電コイルの三相直列配線は、Ｕ１番コイル巻き始め左側銅線を出力線とし１番と２番と３番から１０番と１１番と１２番の無吸着スロットに左巻きコイルを配設し巻き終わり右側銅線をＵ２コイル巻き始め左側銅線と結線し１９番と２０番と２１番から２８番、２９番、３０番の無吸着スロットに左巻き発電コイルを配設し巻き終わり右側銅線をＵ１中性点とし、Ｖ１コイル巻き始め左側銅線を出力線とし７番と８番と９番から１６番と１７番と１８番の無吸着スロットに左巻きコイルを配設し巻き終わり右側銅線をＶ２コイル巻き始め左側銅線と結線し２５番と２６番と２７番から３４番と３５番と３６番の無吸着スロットに左巻き発電コイルを配設し巻き終わり右側銅線をＶ１中性点とし、Ｗ１コイル巻き始め銅線を出力線とし１３番と１４番と１５番から２２番と２３番と２４番の無吸着スロットに左巻きコイルを配設し巻き終わり右側銅線をＷ２コイル巻き始め銅線と結線し３１番と３２番と３３番から４番と５番と６番の無吸着スロットに左巻き発電コイルを配設し巻き終わり右側銅線をＷ１中性点としたこと、ＵＶＷの各コイルを左巻き直列配線とした出力は、出力線巻き始め銅線と巻き終わり中性点の銅線から単相出力とするか、ＵＶＷ線の右側巻き終わり中性点を３本束にしてスター結線とするかデルタ結線とし各出力線から出力とし、ステー結線またはデルタ結線とした出力線は無吸着スロット発電コイルからコイル外に引き出す銅線に漏電防止された少し太い引き出し銅線とし、ステータヨーク後側から引き出し銅線をステータヨーク外に作られた操作盤に配設し三相漏電防止スイッチ入力端子まで配線し出力端子から電流計、１００Ｖ差し込み、三相２００V差し込みへと配線された発電機としたこと
【００２１】
４極ロータと三相４重巻き発電コイルを配設する無吸着スロットを回転軸に対して平行に配設された無吸着スロットとするか、斜めに配設された無吸着スロットを右回り通し番号の１番から４８番の無吸着スロットに４重巻き発電コイルの配線は、Ｕ１番コイル巻き始め左側銅線を出力線とし１番と２番と３番と４番から１３番と１４番と１５番と１６番の無吸着スロットに左巻きコイルを配設し巻き終わり右側銅線をＵ２コイル巻き始め左側銅線と結線し２５番と２６番と２７番と２８番から３７番と３８番と３９番と４０番の無吸着スロットに左巻き発電コイルを配設し巻き終わり右側銅線をＵ１中性点とし、Ｖ１番コイル巻き始め左側銅線を出力線とし９番と１０番と１１番と１２番から２１番と２２番と２３番と２４番の無吸着スロットに左巻きコイルを配設し巻き終わり右側銅線をＶ２コイル巻き始め左側銅線と結線し３３番と３４番と３５番と３６番から４５番と４６番と４７番と４８番の無吸着スロットに左巻き発電コイルを配設し巻き終わり右側銅線をＶ１中性点とし、Ｗ１番コイル巻き始め左側銅線を出力線とし１７番と１８番と１９番と２０番から２９番と３０番と３１番と３２番の無吸着スロットに左巻きコイルを配設し巻き終わり右側銅線をＷ２コイル巻き始め左側銅線と結線し４１番と４２番と４３番と４４番から５番と６番と７番と８番の無吸着スロットに左巻き発電コイルを配設し巻き終わり右側銅線をＷ１中性点としたこと、ＵＶＷ線の直列配線された出力は、巻き始め銅線と巻き終わり銅線から３か所の単相出力とするか、各巻き始め左側銅線を出力線とし右側巻き終わり銅線を中性点としたスター結線かデルタ結線とした三相出力線とし、出力線は無吸着スロット発電コイルからコイル外に引き出す銅線に漏電防止された少し太い引き出し銅線とし、発電コイルから少し出た位置でコイル銅線と引き出し銅線を圧着端子、半田で結線し、結線部をビニールテープ、ガラス繊維で漏電防止された引き出し銅線をステータヨーク外に作られた操作盤に配設した三相漏電防止スイッチ入力端子まで配線し出力端子から電流計から１００Ｖ差し込み、三相２００V差し込みへと配線された発電機としたこと
【００２２】
６極ロータと三相２重巻き発電コイル（図４）を配設する無吸着スロットを回転軸に対して平行に配設された無吸着スロットとするか、斜めに配設された無吸着スロットを右回り通し番号の１番から１８番の無吸着スロットに一重巻き発電コイルと１番から３６番の無吸着スロットに２重巻き発電コイルが有りコイル配設位置は同じとして１番から３６番の無吸着スロットに二重巻き発電コイルの配設は、Ｕ１番コイル巻き始め左側銅線を出力線とし１番、２番から７番、８番の無吸着スロットに左巻きコイルを配設し巻き終わり右側銅線をＵ２コイル巻き始め左側銅線と結線し１３番、１４番から１９番、２０番の無吸着スロットに左巻き発電コイルを配設し巻き終わり右側銅線をＵ３コイル巻き始め銅線と結線し２５番、２６番から３１番、３２番の無吸着スロットに左巻きコイルを配設し巻き終わり右側銅線をＵ１中性点とし、Ｖ１番コイル巻き始め左側銅線を出力線とし５番、６番から１１番、１２番の無吸着スロットに左巻きコイルを配設し巻き終わり右側銅線をＶ２コイル巻き始め左側銅線と結線し１７番、１８番から２３番と２４番の無吸着スロットに左巻き発電コイルを配設し巻き終わり右側銅線をV３コイル巻き始め銅線と結線し２９番、３０番から３５番、３６番の無吸着スロットに左巻きコイルを配設し巻き終わり右側銅線をＶ１中性点とし、Ｗ１番コイル巻き始め左側銅線を出力線とし９番、１０番から１５番、１６番の無吸着スロットに左巻きコイルを配設し巻き終わり右側銅線をＷ２コイル巻き始め左側銅線と結線し２１番、２２番から２７番と２８番の無吸着スロットに左巻き発電コイルを配設し巻き終わり右側銅線をＷ３コイル巻き始め銅線と結線し３３番、３４番から３番、４番の無吸着スロットに左巻きコイルを配設し巻き終わり右側銅線をＷ１中性点とし、ＵＶＷ線の直列配線された出力は、巻き始め銅線と巻き終わり銅線から３か所の単相出力とするか、各巻き始め左側銅線を出力線とし右側巻き終わり銅線を中性点としたスター結線とするかデルタ結線とした三相出力線とし、出力線は無吸着スロット発電コイルからコイル外に引き出す銅線に漏電防止された少し太い引き出し銅線とし、ステータヨークの前側とするか後側の発電コイルから少し出た位置でコイル銅線と引き出し銅線を圧着端子、半田で結線し、結線部をビニールテープ、ガラス繊維で漏電防止された引き出し銅線をステータヨーク外に作られた操作盤三相漏電防止スイッチ入力端子まで配線し三相出力端子から電流計から三相２００Ｖ差し込みからダウントランスから１００Ｖ差し込みへと配線された発電機としたこと
【００２３】
６極ロータと三相２重巻き発電コイルを配設する無吸着スロットを回転軸に対して平行に配設された無吸着スロットとするか、斜めに配設された無吸着スロットを右回り通し番号の１番から７２番の無吸着スロットに２重巻き発電コイルの配設は、Ｕ１番コイル巻き始め左側銅線を出力線とし１番、２番から１１番、１２番の無吸着スロットに左巻きコイルを配設し巻き終わり右側銅線をＵ３コイル巻き始め左側銅線と結線し２５番、２６番から３５番、３６番の無吸着スロットに左巻き発電コイルを配設し巻き終わり右側銅線をＵ５コイル巻き始め銅線と結線し４９番、５０番から５９番、６０番の無吸着スロットに左巻きコイルを配設し巻き終わり右側銅線をＵ１中性点とし、Ｕ２番コイル巻き始め左側銅線を出力線とし１３番、１４番から２３番、２４番の無吸着スロットに左巻きコイルを配設し巻き終わり右側銅線をＵ４コイル巻き始め左側銅線と結線し３７番、３８番から４７番、４８番の無吸着スロットに左巻き発電コイルを配設し巻き終わり右側銅線をＵ６コイル巻き始め銅線と結線し６１番、６２番から７１番、７２番の無吸着スロットに左巻きコイルを配設し巻き終わり右側銅線をＵ２中性点とし、Ｖ１番コイル巻き始め左側銅線を出力線とし９番、１０番から１９番、２０番の無吸着スロットに左巻きコイルを配設し巻き終わり右側銅線をＶ３コイル巻き始め左側銅線と結線し３３番、３４番から４３番と４４番の無吸着スロットに左巻き発電コイルを配設し巻き終わり右側銅線をV５コイル巻き始め銅線と結線し５７番、５８番から６７番、６８番の無吸着スロットに左巻きコイルを配設し巻き終わり右側銅線をＶ１中性点とし、Ｖ２番コイル巻き始め左側銅線を出力線とし２１番、２２番から３１番、３２番の無吸着スロットに左巻きコイルを配設し巻き終わり右側銅線をＶ４コイル巻き始め左側銅線と結線し４５番、４６番から５５番、５６番の無吸着スロットに左巻き発電コイルを配設し巻き終わり右側銅線をＶ６コイル巻き始め銅線と結線し６９番、７０番から７番、８番の無吸着スロットに左巻きコイルを配設し巻き終わり右側銅線をＶ２中性点とし、Ｗ１番コイル巻き始め左側銅線を出力線とし１７番、１８番から２７番、２８番の無吸着スロットに左巻きコイルを配設し巻き終わり右側銅線をＷ３コイル巻き始め左側銅線と結線し４１番、４２番から５１番と５２番の無吸着スロットに左巻き発電コイルを配設し巻き終わり右側銅線をＷ５コイル巻き始め銅線と結線し６５番、６６番から３番、４番の無吸着スロットに左巻きコイルを配設し巻き終わり右側銅線をＷ１中性点とし、Ｗ２番コイル巻き始め左側銅線を出力線とし２９番、３０番から３９番、４０番の無吸着スロットに左巻きコイルを配設し巻き終わり右側銅線をＷ４コイル巻き始め左側銅線と結線し５３番、５４番から６３番、６４番の無吸着スロットに左巻き発電コイルを配設し巻き終わり右側銅線をＷ６コイル巻き始め銅線と結線し５番、６番から１５番、１６番の無吸着スロットに左巻きコイルを配設し巻き終わり右側銅線をＷ２中性点としたこと、ＵＶＷ線の奇数番号コイルと偶数番号コイルの直列配線された出力は、巻き始め銅線と巻き終わり銅線から６か所の単相出力とするか、各巻き始め左側銅線を出力線とし右側��き終わり銅線を中性点としたスター結線かデルタ結線とした２か所の三相出力線とし、出力線は無吸着スロット発電コイルからコイル外に引き出す銅線に漏電防止された少し太い引き出し銅線とし、発電コイルから少し出た位置でコイル銅線と引き出し銅線を圧着端子、半田で結線し、結線部を収縮チューブ、ビニールテープ、ガラス繊維で漏電防止された引き出し銅線をステータヨーク外に作られた操作盤三相２００Ｖ漏電防止スイッチ入力端子まで配線し、三相出力端子から三相２００Ｖ差し込みとダウントランスに配線されダウントランスから１００Ｖ差し込みへと配線された発電機としたこと
【００２４】
６極ロータと三相４重巻き発電コイル（図５）を配設する無吸着スロットを回転軸に対して平行に配設された無吸着スロットとするか、斜めに配設された無吸着スロットを右回り通し番号の１番から７２番の無吸着スロットに４重巻き発電コイルの配線は、Ｕ１番コイル巻き始め左側銅線を出力線とし１番、２番、３番、４番、から１３番、１４番、１５番、１６番の無吸着スロットに左巻きコイルを配設し巻き終わり右側銅線をＵ２コイル巻き始め左側銅線と結線し２５番、２６番、２７番、２８番から３７番、３８番、３９番、４０番の無吸着スロットに左巻き発電コイルを配設し巻き終わり右側銅線をＵ３コイル巻き始め銅線と結線し４９番、５０番、５１番、５２番から６１番、６２番、６３番、６４番の無吸着スロットに左巻きコイルを配設し巻き終わり右側銅線をＵ１中性点とし、Ｖ１番コイル巻き始め左側銅線を出力線とし９番、１０番、１１番、１２番から２１番、２２番、２３番、２４番の無吸着スロットに左巻きコイルを配設し巻き終わり右側銅線をＶ２コイル巻き始め左側銅線と結線し３３番、３４番、３５番、３６番から４５番、４６番、４７番、４８番の無吸着スロットに左巻き発電コイルを配設し巻き終わり右側銅線をV３コイル巻き始め銅線と結線し５７番、５８番、５９番、６０番から６９番、７０番、７１番、７２番の無吸着スロットに左巻きコイルを配設し巻き終わり右側銅線をＶ１中性点とし、Ｗ１番コイル巻き始め左側銅線を出力線とし１７番、１８番、１９番、２０番から２９番、３０番、３１番、３２番の無吸着スロットに左巻きコイルを配設し巻き終わり右側銅線をＷ２コイル巻き始め左側銅線と結線し４１番、４２番、４３番、４４番から５３番と５４番、５５番、５６番の無吸着スロットに左巻き発電コイルを配設し巻き終わり右側銅線をＷ３コイル巻き始め銅線と結線し６５番、６６番、６７番、６８番から５番、６番、７番、８番の無吸着スロットに左巻きコイルを配設し巻き終わり右側銅線をＷ１中性点としたこと、ＵＶＷ線の直列配線された出力は、巻き始め銅線と巻き終わり銅線から３か所の単相出力とするか、各巻き始め左側銅線を出力線とし右側巻き終わり銅線を中性点としたスター結線かデルタ結線とした三相出力線とし、出力線は無吸着スロット発電コイルからコイル外に引き出す銅線に漏電防止された少し太い引き出し銅線とし、発電コイルから少し出た位置でコイル銅線と引き出し銅線を圧着端子か半田で結線し、結線部を収縮チューブ、ビニールテープ、ガラス繊維で漏電防止された引き出し銅線をステータヨーク外に作られた操作盤三相２００Ｖ漏電防止スイッチ入力端子まで配線し三相出力端子から電流計から三相２００Ｖ差し込み、２００Ｖから１００Ｖに降圧し１００Ｖ差し込みへと配線された発電機としたこと
【００２５】
記載した各無吸着スロット発電コイルを記載のまま使用するか又は２重巻き、３重巻き、４重巻きとされた発電コイルを分離しコイル中央から出力励磁を消滅させた配線とし、分離は配設された多重巻き無吸着スロット発電コイルを外側コイルと内側コイルに分離し、外側コイルを２コイルとし内側コイルを１コイル、外側コイルを３コイルとし内側コイルを１コイルとするか同数に近い数の外側コイルと内側コイルに分離するとした無吸着スロット発電コイル発電機。
【発明の効果】
【００２６】
扇型磁石ロータと無吸着スロット発電コイルとの組み合わせた発電機とし、低トルクのエンジンまたはモータで発電出来るという利点とし。
【図面の簡単な説明】
【００２７】
【図１】２極ロータと４重巻き無吸着２４スロット発電コイル４５度右上がり斜め展開図
【図２】２極ロータと２相２重巻き無吸着３２スロット発電コイル
【図３】４極ロータと２重巻き無吸着４８スロット発電コイルとU１コイル範囲４５度右上がり斜め展開図
【図４】６極ロータと２重巻き無吸着３６スロット発電コイルとU１コイル範囲４５度右上がり斜め展開図
【図５】６極ロータと４重巻き無吸着７２スロット発電コイル
【図６】６極ロータの中央穴あき扇型磁石と固定金具の配設図
【発明を実施するための形態】
【００２８】
強力な永久磁石を扇型の磁石と成形された扇型磁石を一定の高さと、一定の厚みとされた扇型磁石の同極同士をコイル側に向けロータ各極に配設し、ステータヨーク内側に配設された無吸着スロット発電コイルを斜めに配設した。
【実施例１】
【００２９】
図４は、６極ロータと１番から３６番の無吸着スロット発電コイルを斜めに配設しスター結線の三相出力とした発電機を６極ロータの７，５KWモータをデルタ結線で回転させ、発電機から２００Vを出力させダウントランスで１００Vにし１００Vの消費電力１５Aのコンプレッサーを作動させた時のモータの消費電力は１５A、同回転数でモータを空回転させた消費電力は１０A。
【産業上の利用可能性】
【００３０】
風力発電、水力発電、自動車の発電機、自転車の発電機、工場で駆動しているモータにプーリとプーリベルトで連結またはモータの後側回転軸と直結した発電。
【符号の説明】
【００３１】
１    ステータヨーク
２    無吸着スロット番号
３    中央穴あき扇型磁石
４    T型動力伝達板
５    回転軸に被せたステンレスパイプ
６    回転軸
７    通しボルト穴
８    巻き始め出力銅線  
９    巻き終わり右側銅線の中性点
１０  コイル番号
１１  右上がり斜め４５度無吸着スロット発電コイル
１２  回転軸中心線
１３  ステータヨーク前後に出した無吸着スロットを糸で縛る突起部
１４  U１出力線
１５  U１中性点
１６  V１出力線
１７  V１中性点
１８  W１出力線
１９  W１中性点
２０  U２出力線
２１  U２中性点
２２  V２出力線
２３  V２中性点
２４  W２出力線
２５  W２中心線
２６  前側ベアリング
２７  吸い込み、吐き出しのファン
２８  前側ステンレス円盤とT型動力伝達板の溶接部
２９  反発磁束極
３０  T型動力板の磁石飛び出し防止曲げ部
３１  通しボルトと固定ナット
３２  中央穴あき扇型磁石の高さ
３３  後側ベアリング
３４  T型動力伝達板とステンレスパイプの溶接部
３５  扇型磁石コイル側左右下段とT型動力伝達板の磁石押さえ部
【手続補正２】
【補正対象書類名】特許請求の範囲
【補正対象項目名】全文
【補正方法】変更
【補正の内容】
【特許請求の範囲】
【請求項１】
（ア）本発明は、ステータヨークを円筒形としロータが挿入される内円周も円形としたスロットの無いドーナッツ型に切断した薄い電磁鋼板を積層された内円周に鉄スロットの代わりに無吸着スロットが配設されておるステータヨークとし、無吸着スロットは磁石に吸着しないステンレス、アルミニウム、アクリル板、塩ビ樹脂、ガラス繊維、ゴム、ビニールホース、スロットシートを無吸着スロットとし、無吸着スロットの薄い一枚の部材をステータヨーク長さより少し長い寸法で切断しＵの字型、コの字型、丸パイプ型、楕円形、に加工されておる無吸着スロットとし、無吸着スロットの通電する部材にはスロットシートを配設し、通電しない部材にはスロットシートを配設しないとした無吸着スロットをステータヨーク内円周に開口部をロータ側に向け固定された無吸着スロットに発電コイルを挿入し無吸着スロット発電コイルとし、ステータヨーク内円周に無吸着スロットの固定は溶接止め、ビス止め、樹脂系ゴム糊で固定し、更に発電コイルを挿入後にステータヨーク前後に作られた突起部と無吸着スロット発電コイルのコイルエンド部と糸、結束バンド、融着テープで固定された無吸着スロット発電コイルとし、コイル挿入後の無吸着スロットの開口部に銅線飛び出し防止のスロットシートを被せ、被せたスロットシートと無吸着スロット開口部をゴム糊、熱溶融接着材のビニール樹脂で接着された無吸着スロット発電コイルとし、無吸着スロット発電コイルをステータヨークに配設は、発電コイルを２極ロータ、４極ロータ、６極ロータ、６極ロータ型３極ロータとしたロータ極数と同数か所の多重巻き発電コイルとするかロータ極数の三相発電コイルを配設とするか２相の発電コイルを配設とするか１相の発電コイルを配設としたこと、配設された無吸着スロットと回転軸ロータ極との配設関係は、水平に据え置かれた回転軸ロータに対してステータヨーク内円周に平行に並べられた無吸着スロットとするか、ステータヨーク内円周に斜めに並べられた無吸着スロットとし、斜めとされた配設角度を１０度から４５度とするか可能な限り斜めとした角度に配設された無吸着スロット発電コイルとするか配設された無吸着スロット発電コイルを分離コイルとし、平行か斜めに配設された無吸着スロット発電コイルか分離コイルをロータ磁束がステータヨーク内円周を吸引しながら回転と共に発電コイルを横切り、又は、斜めに横切り起電力を出力としたこと、平行に配設された無吸着スロット発電コイルの利点は、製作が簡単であり出力励磁の発生する位置からロータを遠く離した位置として出力励磁とロータ磁束の引き合う磁力が弱められた平行無吸着スロット発電コイルとしたこと、斜め平行に配設された無吸着スロット発電コイルの利点は、斜め無吸着スロット発電コイル内に出現した斜め出力励磁と平行なロータ極との磁束が回転と共に、斜めと、平行の交差する小さい範囲で磁束が引き合い低トルクの回転で出力励磁とロータ磁束とを引き離す事が出来るとし、また細長い２枚の永久磁石が隙間をあけて平行に吸引している状態の永久磁石を引き離すのに１０の力が必要とした時に、細長い２枚の磁石の片方を４５度から５０度に傾けると５の力で引き離せるとしたことを利用した斜め発電コイルの配設としたこと、無吸着スロット発電コイルの出力配線は、発電コイルから個々に単相出力とするか、ロータの同極が同時に通過する発電コイル同士を直列配線しコイル巻き始め銅線を出力線としコイル巻き終わり銅線を中性点とした出力線と中性点から単相出力とするか、三相無吸着スロット発電コイル巻き終わり銅線の中性点三本をスター結線かデルタ結線とし巻き始め出力線から三相出力とした配線とし、また分離コイルは、無吸着スロット発電コイルを外側コイルと内側コイルとに分離し二系列とした分離コイルの利点は、発電コイルを外側コイルと内側コイルに分離したコイルに同時に交流起電力を同方向に出力させると無吸着スロット発電コイル内のステータヨークロータ側表面から出力励磁が消滅するとしたことを利用した分離コイルとし、消滅した出力励磁は、ステータヨーク内部で外側コイルと内側コイルの磁力線が吸引し合いステータヨーク内部深くに潜み込ませた出力励磁としたが、ロータの反発磁束がステータヨーク内部に潜み込んだ出力励磁に届いてしまい起電力を出力中にロータの回転が少し重くなるとした為にステータヨークの幅を広げるとするか、無吸着スロットをロータ方向に伸ばしコイル巻き数を増してロータの直径を小さくする為に扇型磁石の高さを短くするか、扇型磁石のコイル側の形状を弧円から直線状とした扇型磁石とするかとしたステータヨーク内側とロータ外側の出力励磁とロータ磁束の吸引し合う磁力の間隔調整がされたロータも有るとして使用されたネオジム永久磁石ロータは中央穴あき扇型磁石ロータとし反発磁束を発電コイル側に向けて押し上げる様にしたロータとし、各発電コイルの渡り配線を個々に結線とするかコイルの巻き始めから他の連結するコイル巻終わりまで連続した結線部の無いコイルの直列配線とし、またステータヨーク外に銅線を引き出す引き出し銅線は、発電コイルから少し出た位置でコイル銅線と少し太い漏電防止された引き出し銅線を結線し、結線部を収縮チューブ、ビニールテープ、融着テープ、ガラス繊維で漏電防止された引き出し銅線を発電機の脇または後側蓋に配設した操作盤の単相か三相漏電防止機の入力端子に配線し出力端子から直流に整流するか交流のまま電圧計、各出力端子または降圧し１００V差し込みへと配線されておる発電機とし、発電機をケース無しとするかケース有り発電機とした無吸着スロット発電コイル発電機としたこと
【請求項２】
（イ）請求項１に記載した各ロータとステータヨークの無吸着スロット発電コイルの配設を記載とし、２極ロータと多重巻き発電コイルの配設は、２極ロータをＮ極とＳ極とするか、Ｎ極とＮ極のロータかＳ極とＳ極のロータとし、無吸着スロットを回転軸に対して平行に配設された無吸着スロットとするか、斜めに配設された無吸着スロットとした無吸着スロットに発電コイルを３重巻き、４重巻き、５重巻き、６重巻きとした多重巻き発電コイルとし、ロータ２極が同時に通過する位置に配設された多重巻き発電コイルとし、配設位置が同じとして１番から２４番の無吸着スロットに４重左巻き発電コイルの配設を記載とし、Ｕ１番発電コイル巻き始め左側銅線を出力線とし２番と３番と４番と５番から８番と９番と１０番と１１番の無吸着スロットに左巻き発電コイルを配設し巻き終わり右側銅線を中性点とし、Ｕ２番発電コイル巻き始め左側銅線出力線とし１４番と１５番と１６番と１７番から２０番と２１番と２２番と２３番の無吸着スロットに左巻き発電コイルを配設し巻き終わり右側銅線を中性点とし、また使用していない番号部は無吸着スロットを配設しないとし、無吸着スロット発電コイルの配線は、ロータ極をＮ極とＳ極とされたロータと無吸着スロット発電コイルの配線は、個々に４重巻き発電コイルのＵ１とＵ２の発電コイルから２か所の単相出力とするか、Ｕ１番発電コイルの中性点とＵ２番発電コイルの中性点を結線し並列配線としＵ１番とＵ２番の各出力線から単相出力とし、ロータ極をＮ極とＮ極、またはＳ極とＳ極とされたロータと無吸着スロット発電コイルの配線は、個々に４重巻き発電コイルから２か所の単相出力とするかＵ１番発電コイルの中性点とＵ２番発電コイルの出力線を結線し直列配線としＵ１番出力線とＵ２中性点から単相出力を一か所としたこと、無吸着スロット発電コイルから少し出た位置の銅線に漏電防止された少し太い引き出し銅線を付け、引き出し銅線をステータヨーク外に作られた操作盤に配線し単相漏電防止スイッチから電流計から１００Ｖ差し込みへと配線された発電機としたこと
（ウ）２極ロータと２相無吸着スロット発電コイルが配設された無吸着スロットを回転軸に対して平行に配設された無吸着スロットとするか、斜めに配設された無吸着スロットとし、右回り通し番号の１番から３２番の無吸着スロットに２重巻き発電コイルの配設は、Ｕ１番コイルの左側巻き始め銅線を出力線とし１番と２番から７番と８番の無吸着スロットに左巻きコイルを配設し巻き終わり右側銅線を中性点、Ｕ２番コイル左側巻き始め銅線を出力線とし９番と１０番から１５番と１６番の無吸着スロットに左巻きコイルを配設し巻き終わり右側銅線を中性点、Ｕ３番コイル巻き始め銅線を出力線とし１７番と１８番から２３番と２４番の無吸着スロットに左巻き発電コイルを配設し右側巻き終わり銅線を中性点、Ｕ４番コイル巻き始め銅線を出力線とし２５番と２６番から３１番と３２番の無吸着スロットに左巻き発電コイルを配設し右側巻き終わり銅線を中性点、Ｖ１番コイル左側巻き始め銅線を出力線とし５番と６番から１１番と１２番の無吸着スロットに左巻きコイルを配設し右側巻き終わり銅線を中性点、Ｖ２番コイル左側巻き始め銅線を出力線とし１３番と１４番から１９番と２０番の無吸着スロットに左巻きコイルを配設し右側巻き終わり銅線を中性点、Ｖ３番コイル左側巻き始め銅線を出力線とし２１番と２２番から２７番と２８番の無吸着スロットに左巻きコイルを配設し巻き終わり右側銅線を中性点、Ｖ４番コイル左側巻き始め銅線を出力線とし２９番と３０番から３番と４番の無吸着スロットに左巻きコイルを配設し右側巻き終わり銅線を中性点としたこと、この配線にロータ極をＮ極とＳ極とされた発電コイル配線は、個々に２重巻き発電コイルの出力線と中性点から単相出力とするか、Ｕ発電コイルとV発電コイルの同時に通過するＵ１コイルとＵ３コイル、Ｕ２コイルとＵ４コイル、V１コイルとV３コイル、V２コイルとV４コイルの各中性点同士を結線し並列配線とし各出力線から単相出力を４か所の出力線とし、ロータ極をＮ極とＮ極、またはＳ極とＳ極とされた発電コイル配線は、個々に２重巻き発電コイルから単相出力とするか、同時に通過するコイルの中性点と出力線を直列配線し各出力線と中性点から４か所の単相出力とするか、直列配線されたＵコイルの１番、３番と２番、４番、Ｖコイルの１番と３番、２番と４番の各中性点を結線し並列配線とし発電電圧を上昇させたＵコイルとＶコイル２か所の単相出力とし、また２か所の単相出力とされたＵコイルとＶコイルの同方向に出された出力線を結線し１か所の単相出力としたこと、各出力線は無吸着スロット発電コイルの銅線に漏電防止された引き出し銅線を付け、引き出し銅線をステータヨーク外に作られた操作盤に配設された単相漏電防止スイッチ入力端子まで配線し出力端子から電流計、１００Ｖ差し込みへと配線された発電機とし、またこの配線は４極ロータの２相無吸着スロット発電コイル発電機にも使用できるとしたこと
（エ）４極ロータと三相２重巻き発電コイルを配設する無吸着スロットを回転軸に対して平行に配設された無吸着スロットとするか、ステータヨーク前側から斜め右上りに配設された無吸着スロットとし、右回り通し番号の１番から２４番の無吸着スロットの１重巻き発電コイルと１番から４８番の無吸着スロットに２重巻き発電コイルが有りコイル配設が同じとして２重巻き発電コイル直列配線の配設は、Ｕ１番コイル巻き始め左側銅線を出力線とし１番と２番から１１番と１２番の無吸着スロットに左巻き発電コイルを配設し巻き終わり右側銅線をＵ３番コイル巻き始め左側銅線と結線し２５番と２６番から３５番と３６番の無吸着スロットに左巻きコイルを配設し巻き終わり右側銅線をＵ１中性点とし、Ｕ２番コイル巻き始め左側銅線を出力線とし１３番と１４番から２３番と２４番の無吸着スロットに左巻き発電コイルを配設し巻き終わり右側銅線をＵ４番コイル巻き始め左側銅線と結線し３７番と３８番から４７番と４８番の無吸着スロットに左巻きコイルを配設し巻き終わり右側銅線をＵ２中性点とし、Ｖ１番コイル巻き始め左側銅線を出力線とし９番と１０番から１９番と２０番の無吸着スロットに左巻き発電コイルを配設し巻き終わり右側銅線をＶ３番コイル巻き始め左側銅線と結線し３３番と３４番から４３番と４４番の無吸着スロットに左巻きコイルを配設し巻き終わり右側銅線をＶ１中性点とし、Ｖ２番コイル巻き始め左側銅線を出力線とし２１番と２２番から３１番と３２番の無吸着スロットに左巻き発電コイルを配設し巻き終わり右側銅線をＶ４番コイル巻き始め左側銅線と結線し４５番と４６番から７番と８番の無吸着スロットに左巻きコイルを配設し巻き終わり右側銅線をＶ２中性点とし、Ｗ１番コイル巻き始め左側銅線を出力線とし１７番と１８番から２７番と２８番の無吸着スロットに左巻き発電コイルを配設し巻き終わり右側銅線をＷ３番コイル巻き始め左側銅線と結線し４１番と４２番から３番と４番の無吸着スロットに左巻きコイルを配設し巻き終わり右側銅線をＷ１中性点とし、Ｗ２番コイル巻き始め左側銅線を出力線とし２９番と３０番から３９番と４０番の無吸着スロットに左巻き発電コイルを配設し巻き終わり右側銅線をＷ４番コイル巻き始め左側銅線と結線し５番と６番から１５番と１６番の無吸着スロットに左巻きコイルを配設し巻き終わり右側銅線をＷ２中性点としたこと、ＵＶＷ各線の出力配線は、各直列配線されたておる出力線と巻き終わり中性点から６か所の単相出力とするか、ＵＶＷ各相の１番と２番の直列配線された中性点を結線し並列配線とし各左側巻き始め出力銅線から３か所の単相出力とするか、３か所の単相出力とされておる同方向のコイル出力銅線を中性点とし３本を束に結線し、反対側の同方向の出力線から出力するとしたスター結線、またはデルタ結線とし、出力線は無吸着スロット発電コイルから少し出した所で引き出し銅線と結線し、引き出し銅線はステータヨーク外に引き出す銅線として漏電防止された少し太い引き出し銅線とし、引き出し銅線をステータヨーク外に作られた操作盤に配設された三相漏電防止スイッチ入力端子まで配線し出力端子から電流計、１００Ｖ差し込み、三相２００V端子へと配線された発電機としたこと
（オ）４極ロータと三相３重巻き発電コイルを配設する無吸着スロットを回転軸に対して平行に配設された無吸着スロットとするか、斜めに配設された無吸着スロットを右回り通し番号の１番から３６番の無吸着スロットに３重巻き無吸着スロット発電コイルの三相直列配線は、Ｕ１番コイル巻き始め左側銅線を出力線とし１番と２番と３番から１０番と１１番と１２番の無吸着スロットに左巻きコイルを配設し巻き終わり右側銅線をＵ２コイル巻き始め左側銅線と結線し１９番と２０番と２１番から２８番、２９番、３０番の無吸着スロットに左巻き発電コイルを配設し巻き終わり右側銅線をＵ１中性点とし、Ｖ１コイル巻き始め左側銅線を出力線とし７番と８番と９番から１６番と１７番と１８番の無吸着スロットに左巻きコイルを配設し巻き終わり右側銅線をＶ２コイル巻き始め左側銅線と結線し２５番と２６番と２７番から３４番と３５番と３６番の無吸着スロットに左巻き発電コイルを配設し巻き終わり右側銅線をＶ１中性点とし、Ｗ１コイル巻き始め銅線を出力線とし１３番と１４番と１５番から２２番と２３番と２４番の無吸着スロットに左巻きコイルを配設し巻き終わり右側銅線をＷ２コイル巻き始め銅線と結線し３１番と３２番と３３番から４番と５番と６番の無吸着スロットに左巻き発電コイルを配設し巻き終わり右側銅線をＷ１中性点としたこと、ＵＶＷの各コイルを左巻き直列配線とした出力は、出力線巻き始め銅線と巻き終わり中性点の銅線から単相出力とするか、ＵＶＷ線の右側巻き終わり中性点を３本束にしてスター結線とするかデルタ結線とし各出力線から出力とし、ステー結線またはデルタ結線とした出力線は無吸着スロット発電コイルからコイル外に引き出す銅線に漏電防止された少し太い引き出し銅線とし、ステータヨーク後側から引き出し銅線をステータヨーク外に作られた操作盤に配設した三相漏電防止スイッチ入力端子まで配線し出力端子から電流計、１００Ｖ差し込み、三相２００V差し込みへと配線された発電機としたこと
（カ）４極ロータと三相４重巻き発電コイルを配設する無吸着スロットを回転軸に対して平行に配設された無吸着スロットとするか、斜めに配設された無吸着スロットを右回り通し番号の１番から４８番の無吸着スロットに４重巻き発電コイルの配線は、Ｕ１番コイル巻き始め左側銅線を出力線とし１番と２番と３番と４番から１３番と１４番と１５番と１６番の無吸着スロットに左巻きコイルを配設し巻き終わり右側銅線をＵ２コイル巻き始め左側銅線と結線し２５番と２６番と２７番と２８番から３７番と３８番と３９番と４０番の無吸着スロットに左巻き発電コイルを配設し巻き終わり右側銅線をＵ１中性点とし、Ｖ１番コイル巻き始め左側銅線を出力線とし９番と１０番と１１番と１２番から２１番と２２番と２３番と２４番の無吸着スロットに左巻きコイルを配設し巻き終わり右側銅線をＶ２コイル巻き始め左側銅線と結線し３３番と３４番と３５番と３６番から４５番と４６番と４７番と４８番の無吸着スロットに左巻き発電コイルを配設し巻き終わり右側銅線をＶ１中性点とし、Ｗ１番コイル巻き始め左側銅線を出力線とし１７番と１８番と１９番と２０番から２９番と３０番と３１番と３２番の無吸着スロットに左巻きコイルを配設し巻き終わり右側銅線をＷ２コイル巻き始め左側銅線と結線し４１番と４２番と４３番と４４番から５番と６番と７番と８番の無吸着スロットに左巻き発電コイルを配設し巻き終わり右側銅線をＷ１中性点としたこと、ＵＶＷ線の直列配線された出力は、巻き始め銅線と巻き終わり銅線から３か所の単相出力とするか、各巻き始め左側銅線を出力線とし右側巻き終わり銅線を中性点としたスター結線かデルタ結線とした三相出力線とし、出力線は無吸着スロット発電コイルからコイル外に引き出す銅線に漏電防止された少し太い引き出し銅線とし、発電コイルから少し出た位置でコイル銅線と引き出し銅線を圧着端子、半田で結線し、結線部をビニールテープ、ガラス繊維で漏電防止された引き出し銅線をステータヨーク外に作られた操作盤に配設した三相漏電防止スイッチ入力端子まで配線し出力端子から電流計から１００Ｖ差し込み、三相２００V差し込みへと配線された発電機としたこと
（キ）６極ロータと三相２重巻き発電コイルを配設する無吸着スロットを回転軸に対して平行に配設された無吸着スロットとするか、斜めに配設された無吸着スロットを右回り通し番号の１番から１８番の無吸着スロットに一重巻き発電コイルと１番から３６番の無吸着スロットに２重巻き発電コイルが有りコイル配設位置は同じとして１番から３６番の無吸着スロットに二重巻き発電コイルの配設は、Ｕ１番コイル巻き始め左側銅線を出力線とし１番、２番から７番、８番の無吸着スロットに左巻きコイルを配設し巻き終わり右側銅線をＵ２コイル巻き始め左側銅線と結線し１３番、１４番から１９番、２０番の無吸着スロットに左巻き発電コイルを配設し巻き終わり右側銅線をＵ３コイル巻き始め銅線と結線し２５番、２６番から３１番、３２番の無吸着スロットに左巻きコイルを配設し巻き終わり右側銅線をＵ１中性点とし、Ｖ１番コイル巻き始め左側銅線を出力線とし５番、６番から１１番、１２番の無吸着スロットに左巻きコイルを配設し巻き終わり右側銅線をＶ２コイル巻き始め左側銅線と結線し１７番、１８番から２３番と２４番の無吸着スロットに左巻き発電コイルを配設し巻き終わり右側銅線をV３コイル巻き始め銅線と結線し２９番、３０番から３５番、３６番の無吸着スロットに左巻きコイルを配設し巻き終わり右側銅線をＶ１中性点とし、Ｗ１番コイル巻き始め左側銅線を出力線とし９番、１０番から１５番、１６番の無吸着スロットに左巻きコイルを配設し巻き終わり右側銅線をＷ２コイル巻き始め左側銅線と結線し２１番、２２番から２７番と２８番の無吸着スロットに左巻き発電コイルを配設し巻き終わり右側銅線をＷ３コイル巻き始め銅線と結線し３３番、３４番から３番、４番の無吸着スロットに左巻きコイルを配設し巻き終わり右側銅線をＷ１中性点とし、ＵＶＷ線の直列配線された出力は、巻き始め銅線と巻き終わり銅線から３か所の単相出力とするか、各巻き始め左側銅線を出力線とし右側巻き終わり銅線を中性点としたスター結線とするかデルタ結線とした三相出力線とし、出力線は無吸着スロット発電コイルからコイル外に引き出す銅線に漏電防止された少し太い引き出し銅線とし、ステータヨークの前側とするか後側の発電コイルから少し出た位置でコイル銅線と引き出し銅線を圧着端子、半田で結線し、結線部をビニールテープ、ガラス繊維で漏電防止された引き出し銅線をステータヨーク外に作られた操作盤に配設された三相漏電防止スイッチ入力端子まで配線し三相出力端子から電流計、三相２００Vの端子または差し込み、ダウントランスから１００Vの差し込みへと配線された発電機としたこと
（ク）６極ロータと三相２重巻き発電コイルを配設する無吸着スロットを回転軸に対して平行に配設された無吸着スロットとするか、斜めに配設された無吸着スロットを右回り通し番号の１番から７２番の無吸着スロットに２重巻き発電コイルの配設は、Ｕ１番コイル巻き始め左側銅線を出力線とし１番、２番から１１番、１２番の無吸着スロットに左巻きコイルを配設し巻き終わり右側銅線をＵ３コイル巻き始め左側銅線と結線し２５番、２６番から３５番、３６番の無吸着スロットに左巻き発電コイルを配設し巻き終わり右側銅線をＵ５コイル巻き始め銅線と結線し４９番、５０番から５９番、６０番の無吸着スロットに左巻きコイルを配設し巻き終わり右側銅線をＵ１中性点とし、Ｕ２番コイル巻き始め左側銅線を出力線とし１３番、１４番から２３番、２４番の無吸着スロットに左巻きコイルを配設し巻き終わり右側銅線をＵ４コイル巻き始め左側銅線と結線し３７番、３８番から４７番、４８番の無吸着スロットに左巻き発電コイルを配設し巻き終わり右側銅線をＵ６コイル巻き始め銅線と結線し６１番、６２番から７１番、７２番の無吸着スロットに左巻きコイルを配設し巻き終わり右側銅線をＵ２中性点とし、Ｖ１番コイル巻き始め左側銅線を出力線とし９番、１０番から１９番、２０番の無吸着スロットに左巻きコイルを配設し巻き終わり右側銅線をＶ３コイル巻き始め左側銅線と結線し３３番、３４番から４３番と４４番の無吸着スロットに左巻き発電コイルを配設し巻き終わり右側銅線をV５コイル巻き始め銅線と結線し５７番、５８番から６７番、６８番の無吸着スロットに左巻きコイルを配設し巻き終わり右側銅線をＶ１中性点とし、Ｖ２番コイル巻き始め左側銅線を出力線とし２１番、２２番から３１番、３２番の無吸着スロットに左巻きコイルを配設し巻き終わり右側銅線をＶ４コイル巻き始め左側銅線と結線し４５番、４６番から５５番、５６番の無吸着スロットに左巻き発電コイルを配設し巻き終わり右側銅線をV６コイル巻き始め銅線と結線し６９番、７０番から７番、８番の無吸着スロットに左巻きコイルを配設し巻き終わり右側銅線をＶ２中性点とし、Ｗ１番コイル巻き始め左側銅線を出力線とし１７番、１８番から２７番、２８番の無吸着スロットに左巻きコイルを配設し巻き終わり右側銅線をＷ３コイル巻き始め左側銅線と結線し４１番、４２番から５１番と５２番の無吸着スロットに左巻き発電コイルを配設し巻き終わり右側銅線をＷ５コイル巻き始め銅線と結線し６５番、６６番から３番、４番の無吸着スロットに左巻きコイルを配設し巻き終わり右側銅線をＷ１中性点とし、Ｗ２番コイル巻き始め左側銅線を出力線とし２９番、３０番から３９番、４０番の無吸着スロットに左巻きコイルを配設し巻き終わり右側銅線をＷ４コイル巻き始め左側銅線と結線し５３番、５４番から６３番、６４番の無吸着スロットに左巻き発電コイルを配設し巻き終わり右側銅線をＷ６コイル巻き始め銅線と結線し５番、６番から１５番、１６番の無吸着スロットに左巻きコイルを配設し巻き終わり右側銅線をＷ２中性点としたこと、ＵＶＷ線の奇数番号コイルと偶数番号コイルの直列配線された出力は、巻き始め銅線と巻き終わり銅線から６か所の単相出力とするか、各巻き始め左側銅線を出力線とし���側巻き終わり銅線を中性点としたスター結線かデルタ結線とした２か所の三相出力線とし、出力線は無吸着スロット発電コイルからコイル外に引き出す銅線に漏電防止された少し太い引き出し銅線とし、発電コイルから少し出た位置でコイル銅線と引き出し銅線を圧着端子、半田で結線し、結線部を収縮チューブ、ビニールテープ、ガラス繊維で漏電防止された引き出し銅線をステータヨーク外に作られた操作盤に配設された２００Ｖ三相漏電防止スイッチ入力端子まで配線し三相出力端子から三相２００Ｖ差し込みとダウントランスに配線されダウントランスから１００Ｖ差し込みへと配線された発電機としたこと
（ケ）６極ロータと三相４重巻き発電コイルを配設する無吸着スロットを回転軸に対して平行に配設された無吸着スロットとするか、斜めに配設された無吸着スロットを右回り通し番号の１番から７２番の無吸着スロットに４重巻き発電コイルの配線は、Ｕ１番コイル巻き始め左側銅線を出力線とし１番、２番、３番、４番、から１３番、１４番、１５番、１６番の無吸着スロットに左巻きコイルを配設し巻き終わり右側銅線をＵ２コイル巻き始め左側銅線と結線し２５番、２６番、２７番、２８番から３７番、３８番、３９番、４０番の無吸着スロットに左巻き発電コイルを配設し巻き終わり右側銅線をＵ３コイル巻き始め銅線と結線し４９番、５０番、５１番、５２番から６１番、６２番、６３番、６４番の無吸着スロットに左巻きコイルを配設し巻き終わり右側銅線をＵ１中性点とし、Ｖ１番コイル巻き始め左側銅線を出力線とし９番、１０番、１１番、１２番から２１番、２２番、２３番、２４番の無吸着スロットに左巻きコイルを配設し巻き終わり右側銅線をＶ２コイル巻き始め左側銅線と結線し３３番、３４番、３５番、３６番から４５番、４６番、４７番、４８番の無吸着スロットに左巻き発電コイルを配設し巻き終わり右側銅線をV３コイル巻き始め銅線と結線し５７番、５８番、５９番、６０番から６９番、７０番、７１番、７２番の無吸着スロットに左巻きコイルを配設し巻き終わり右側銅線をＶ１中性点とし、Ｗ１番コイル巻き始め左側銅線を出力線とし１７番、１８番、１９番、２０番から２９番、３０番、３１番、３２番の無吸着スロットに左巻きコイルを配設し巻き終わり右側銅線をＷ２コイル巻き始め左側銅線と結線し４１番、４２番、４３番、４４番から５３番と５４番、５５番、５６番の無吸着スロットに左巻き発電コイルを配設し巻き終わり右側銅線をＷ３コイル巻き始め銅線と結線し６５番、６６番、６７番、６８番から５番、６番、７番、８番の無吸着スロットに左巻きコイルを配設し巻き終わり右側銅線をＷ１中性点としたこと、ＵＶＷ線の直列配線された出力は、巻き始め銅線と巻き終わり銅線から３か所の単相出力とするか、各巻き始め左側銅線を出力線とし右側巻き終わり銅線を中性点としたスター結線かデルタ結線とした三相出力線とし、出力線は無吸着スロット発電コイルからコイル外に引き出す銅線に漏電防止された少し太い引き出し銅線とし、発電コイルから少し出た位置でコイル銅線と引き出し銅線を圧着端子か半田で結線し、結線部を収縮チューブ、ビニールテープ、ガラス繊維で漏電防止された引き出し銅線をステータヨーク外に作られた操作盤に配設された三相２００Ｖ漏電防止スイッチ入力端子まで配線し三相出力端子から電流計、三相２００Ｖ差し込み、２００Ｖから１００Ｖにダウントランスで降圧し１００Ｖ差し込みへと配線された発電機としたこと、また記載した各無吸着スロット発電コイルを記載のまま使用するか又は２重巻き、３重巻き、４重巻きとされた発電コイルを分離コイルとし中央から出力励磁を消滅させた配線とし、分離は配設された多重巻き無吸着スロット発電コイルを外側コイルと内側コイルに分離し、外側コイル数を多くするか、内側コイル数を多くするかとした分離コイルとし同数に近い数の外側コイルと内側コイルに分離する��した無吸着スロット発電コイル発電機。